(57)【要約】  断熱要素、及びそのような要素を備える構造体システムであって、断熱要素（１００、２００、３００、４００、８００、９００、１０００、１１００、１２００、１５００、１８００）は、柱脚（１０３、２１０、３０３、４１１、４１２、４１３、４１４、９０１、９０２、１１０３、１２０１）であって、その上面が、柱脚の上に据えられるべき床パネル（５３０、１５３０）を支えるのに適している、柱脚と、柱脚間の実質的に連続した面（１０１）とを備える。連続面（１０１）及び柱脚は、少なくとも１つの断熱材料から同一工程で一部品として製作される。柱脚及び連続面（１０１）の相互配置は、実質的に連続した面（１０１）の少なくとも上の、柱脚間の空間を通って、実質的に連続した面の上に基礎を横切るように、設置ケーブル（４１）、及び、さらに可能であれば設置ホース若しくはチューブ（４２）も引き込まれうるような方法で実施される。
2015513883.tif 000002
【特許請求の範囲】
【請求項１】
断熱板（１００、２００、３００、４００、８００、９００、１０００、１１００、１２００、１５００、１８００）等の断熱要素であって、実質的に連続した面（１０１）並びに前記面に関連付けられた第１及び第２の柱脚を備える断熱要素において、
第１の柱脚（１０３、２１０、３０３、４１１、４１２、４１３、４１４、９０１、９０２、１１０３、１２９１、１５０３）のうちの少なくとも幾つかが、前記断熱要素の第１の面から現れるようになっており、前記柱脚の上面が、前記柱脚の上に据えられるべき、例えば床パネル（５３０、１５３０）等のパネルを支えるのに適しており、
第２の柱脚（１０３、４１１、４１２、４１３、４１４）のうちの少なくとも幾つかが、前記第１の面とは反対側の、前記断熱要素の第２の面から現れるようになっており、並びに、
前記連続面（１０１）及び前記柱脚（１０３、２１０、３０３、４１１、４１２、４１３、４１４、９０１、９０２、１１０３、１２９１、１５０３）が少なくとも１つの断熱材料から同一工程で一部品として製作されており、
前記柱脚（１０３、２１０、３０３、４１１、４１２、４１３、４１４、９０１、９０２、１１０３、１２９１、１５０３）及び前記連続面（１０１）の相互配置が、前記実質的に連続した面（１０１）の少なくとも第１の側の上の、前記柱脚（１０３、２１０、３０３、４１１、４１２、４１３、４１４、９０１、９０２、１１０３、１２９１、１５０３）の間の空間を通って、前記実質的に連続した面の上に前記断熱要素を横切るように、設置ケーブル（４１）及び、さらに設置ホース若しくは設置チューブ（４２）も引き込まれうるように実施されることを特徴とする、断熱要素。
【請求項２】
前記柱脚（１０３、４１１、４１２、４１３、４１４）が、前記断熱要素（４００）の装着レベルよりも高い位置に前記連続面の下縁を持ち上げるようになっている、請求項１に記載の断熱要素（４００）。
【請求項３】
前記柱脚（１０３、２１０、３０３、４１１、４１２、４１３、４１４、９０１、９０２、１１０３、１２９１）のうちの少なくとも幾つかが、少なくとも１つの装着要素（１０２、１０４、１０５、１０７、２１１、２１２、３０５、１００１、１００２、１１０８、１５０３、１５０４、１７０１）を備えており、又は形成しており、
前記装着要素が、挿入取付具、特にボルト若しくはネジ取付具のための、柱脚柱脚の上にある取付孔（１０５）若しくはネジ切であり、又は前記取付孔若しくは前記ネジ切を備えており、或いは柱脚の上にある挿入体（１０２）、特に取付ボルト若しくはネジであり、又は前記挿入体を備えており、並びに／或いは、
前記装着要素が溝（２１１、２１２）若しくはチャネル（１１０８）であり、又は前記溝若しくは前記チャネルを備える、請求項１又は２に記載の断熱要素（１００、２００、３００、８００、９００、１０００、１１００、１２００、１５００、１８００）。
【請求項４】
前記断熱要素、最も好ましくはその縁部又は装着要素が、横方向に形状制限された少なくとも１つの保持要素（１００１、１００２）、特に蟻継ぎ及び／又は前記装着要素の嵌合部を備えており、或いは、前記断熱要素、その縁部及び／又は装着要素は、その縁領域に、例えば雄突条又は雌溝等、前記断熱要素の縁部と実質的に同一方向の溝形を備える、請求項３に記載の断熱要素。
【請求項５】
前記装着要素が、前記柱脚の上に据えられるべき前記パネル（１５３０）の縁部（１５３１）を保持するための、少なくとも１つの柱脚（１０３）の少なくとも１つの壁にある溝若しくは切込み（１５０４）であり、又は前記溝若しくは前記切込み備える、請求項３又は４に記載の断熱要素。
【請求項６】
前記断熱要素、又は、特に前記断熱要素の装着要素が、パネル型ブロック（５３０、１５３０）の静止摩擦が減少又は増加するように、前記柱脚自体の面の摩擦係数に対して柱脚面の摩擦係数を変化させるための少なくとも１つの平板型要素（３０５）であり、又は前記平板型要素を備える、請求項１から５までのいずれか一項に記載の断熱要素。
【請求項７】
その柱脚（１０３）が、前記基礎のうちの１つを上下反転させ、１つの柱脚（１０３）の幅（ａ、ｂ）に実質的に略等しい距離を実質的に越えて前記基礎をずらすことによって、前記断熱要素を他の同様の断熱要素に積み重ねられ、これによって、前記柱脚（１０３）が、互いに組み合わさり、得られた積重ね体の少なくとも横方向に加えられる押し又は引きに対して前記積重ね体を支持するような構成にある、請求項１から６までのいずれか一項に記載の断熱要素（８００、９００）。
【請求項８】
前記断熱要素が、前記断熱要素に接続して配置された換気要素と共同で、前記第２の柱脚と前記連続面によって規定された空間を換気するために、得られた前記空間に空気流を発生させるようになっている、請求項１から７までのいずれか一項に記載の断熱要素。
【請求項９】
前記装着要素が、間仕切り、扉、電気及び照明用の解決手段、ＨＶＡＣ用の設備、構造体及び取付具等、前記断熱要素とは別個の前記断熱要素の特徴を、前記装着パネルを通じて装着するようになっている、請求項３から８までのいずれか一項に記載の断熱要素。
【請求項１０】
前記断熱要素が、少なくともその縁領域のうちの１つに、前記断熱要素の組立工程中に防火線を提供するための特徴を備えており、前記特徴が、金属、コンクリート若しくは石等の実質的に不燃性の材料、及び／又はその燃焼特性が前記断熱要素の材料とは異なる防火材料を備える、請求項１から９までのいずれか一項に記載の断熱要素。
【請求項１１】
前記断熱要素が少なくとも１つの換気要素を備えており、前記換気要素が、送風機、排気機、バルブ、開口及び／又は、送風機、排気機、バルブ、開口のうちの少なくとも１つを備えるチャネルである、請求項１から１０までのいずれか一項に記載の断熱要素。
【請求項１２】
前記断熱要素が、前記断熱要素の側部のうちの少なくとも１つに防火線を備えており、前記防火線が、金属、コンクリート若しくは石等の実質的に不燃性の材料、及び／又は燃焼特性が前記断熱要素の材料とは異なる防火材料を備える、請求項１から１１までのいずれか一項に記載の断熱要素。
【請求項１３】
床又は壁システム等の構造体システムにおいて、請求項１から１２までのいずれか一項に記載の断熱要素（１００、２００、３００、４００、８００、９００、１０００、１１００、１２００、１５００、１８００）を複数備えており、前記断熱要素が互いに接合され、床又は壁を施工するための少なくとも１つのパネル型部品（５３０、１５３０）が前記断熱要素の上に装着されることを特徴とする、構造体システム。
【請求項１４】
前記基礎のうちの少なくとも幾つかが請求項３と一致しており、並べて配置された及び／又はコーナ同士に配置された断熱要素において、
取付孔（１０５）内のボルト若しくはネジ取付具を使用して、及び／又は１つの取付ボルト（１０７）、若しくは複数の取付ボルト（１０７）若しくはネジを使用して、並びに／或いは、
設置された前記床システムからの保持要素（６３２、１３００、１４００）の取外しを前記パネル型部品（５３０、１５３０）が防ぐようにチャネル（１１０８）にセットされた前記保持要素（６３２、１３００、１４００）を使用して、
断熱要素が側面対側面で、並びに／或いは、角対角で互いに取り付けられる、請求項１３に記載のシステム。
【請求項１５】
前記断熱要素のうちの少なくとも幾つかが請求項４と一致しており、断熱要素が、横方向に形状制限された少なくとも１つの保持要素（１００１、１００２）によって互いに取り付けられる、請求項１３に記載のシステム。
【請求項１６】
前記断熱要素のうちの少なくとも幾つかが請求項５に一致しており、断熱要素が、前記パネル型部品（５３０、１５３０）によって互いに対して固定される、請求項１３に記載のシステム。
【請求項１７】
前記断熱要素の位置又は角度を調節するための、前記断熱要素に関連付けられた少なくとも１つの高さ調節要素を備える、請求項１３から１６までのいずれか一項に記載のシステム。
【発明の詳細な説明】
【技術分野】
【０００１】
本発明は、施工及び空間利用エンジニアリングの分野に関するものであり、同分野で使用される断熱板等の断熱要素、並びに、断熱要素を備える、例えば高床システム等の壁及び床システムに関するものである。
【背景技術】
【０００２】
米国特許第５，１８４，４３８号から、床設置に役立つ内装パネルユニットが知られている。米国特許第４，８５２，３１５号から、再調節可能な床システムが知られている。公開された国際特許公開第９９／６４６９４号から、床構造体に使用される支持モジュールシステムが知られている。
【０００３】
本発明者の初期の発明は、公開された国際特許公開第９８／１７３５７号に記述されている保護構造体を含み、公開された国際特許公開第９８／４６８３０号に記述されている、保護プレートに接続して使用される接合装置を含む。
【０００４】
欧州特許公開第０４８８３１２Ａ１号は、例えば、オフィス・オートメーションに使用されるケーブルの設置に適用できるシステム床を記述しており、システム床は、そのベースが、ベース・シートのコーナのコーナ支柱及びベース・シートの中央の中央支柱にコンクリートを打設して合成樹脂のベース・シート上に施工されている。コンクリートの硬化後に、ベース・シートは上下反転される。コンクリート充填済みのコーナ支柱及びコンクリート充填済みの中央支柱は、ベース・シートの上に据え付けられるべき床の重量を担う。
【０００５】
公開された日本国特許公開第０３−１０７０５８号は、並べて配置された帯鋼又は合成樹脂帯から成る床ベースを記述している。得られた格子は、その交差点で一定高さの柱を備える。帯鋼又は合成樹脂の使用のオプションとして、多孔板及び一定高さの柱によって床ベースを実施できる。
【０００６】
同様な形式の解決手段も、公開された国際特許公開第９９／６９６９４号に開示されており、この場合、高さが一定又は変化する射出成形された支持部材が格子で相互連結される。
【０００７】
公開された特許公開ＥＰ０４８８３１２Ａ１、ＪＰ０３−１０７０５８及びＷＯ９９／６４６９４の解決手段は、特に冬季には高床を冷たく感じ易いので、寒冷条件での使用には適さない。
【先行技術文献】
【特許文献】
【０００８】
【特許文献１】米国特許第５，１８４，４３８号
【特許文献２】米国特許第４，８５２，３１５号
【特許文献３】ＷＯ９９／６４６９４
【特許文献４】ＷＯ９８／１７３５７
【特許文献５】ＷＯ９８／４６８３０
【特許文献６】ＥＰ０４８８３１２Ａ１
【特許文献７】特開平０３−１０７０５８
【発明の概要】
【発明が解決しようとする課題】
【０００９】
本発明の一目的は、芝生の上又はアイス・ホッケー競技場の氷の上でのコンサートの期間等の単なる一時的なサービスのためだけではなく、構造建築要素としてのより長期的なサービスのために迅速且つ簡便に組み立てられるべき、とりわけ熱経済的に目的に適った、高床等を可能にする、多用途で使用し易い断熱板を提供することである。
【課題を解決するための手段】
【００１０】
この目的は、請求項１に係る、断熱板等の断熱要素によって達成できる。
【００１１】
本発明による断熱要素は、請求項１に提示される事項によって特徴付けられる。さらに、本発明の床システムは、請求項１３に提示される事項によって特徴付けられる。
【００１２】
一実施例によれば、断熱要素は、その第１の面が柱脚を備え、柱脚は、柱脚の上に据え付けられるべき床パネルを支持するのに適した上面を有する。さらに、断熱板は、柱脚間にある実質的に連続した面を備える。さらにまた、一実例によれば、断熱板は、第１の面とは反対側の第２の面にも柱脚を備え、前記第２の面の柱脚は、断熱板の連続面の下縁を断熱要素の設置レベルよりも高い位置に持ち上げるようになっている。この利点のうちの１つは、例えば、面と設置レベルの間に、例えば換気用若しくは除湿用の空間及び／又は追加設置用の空間が残される点である。一実施例によれば、狭い隙間は、換気の観点から幾つかの場合に特に有利となる一方、より広い隙間は、追加設置に関して便利である。
【００１３】
連続面及び柱脚は、少なくとも１つの断熱材料から単一工程で一部品として製作される。柱脚及び実質的に連続した面は、断熱板を横切る実質的に連続した面の上の柱脚の間に、設置ケーブル、さらに可能であれば設置ホース又はチューブも据え付けられうるような相互配置を有する。
【００１４】
高床システム等の床システム等は、上に主張したような複数の断熱板（本質的に基礎（support foundation）として機能する）を含み、断熱板は、互いに連結され、それらの上には、高床を確立するための少なくとも１つのパネル型部品が据え付けられる。
【００１５】
従属請求項は、好ましい基礎及び高床の実施例を対象とする。
【発明の効果】
【００１６】
（本発明の利点）
実質的に連続した面と共同して、断熱板の柱脚は、実質的に閉鎖した面を形成する。実質的に閉鎖した面によって、断熱板は、公開された特許公報ＥＰ０４８８３１２Ａ１、ＪＰ０３−１０７０５８及びＷＯ９９／６４６９４に開示された床基礎に対して、断熱性が向上した構造体となることが判明している。
【００１７】
断熱板の柱脚と、実質的に連続した面及び断熱板に取付け可能な少なくとも１つのパネル型部品によって確立された閉鎖面とは、それらの間に実質的に閉鎖した隙間を形成し、隙間は、一方では隙間内及び隙間自体の断熱性を向上させ、他方ではおそらく必要とされる追加の断熱体のための設置空間として使用されうる。柱脚間に残された空間は、得られた隙間の換気を効果的に提供することもでき、よって、例えばコンクリート床等からくる湿気の除去を実現し、これによって湿気及び成形物の損傷の防止を実現する。地盤から放出されるラドンを換気するためにも換気を使用できる。
【００１８】
柱脚は、例えば、コンサートに関連して造られる施工システム等の一時的な解決手段にも著しい利点をもたらし、この場合、柱脚は、施工されるべき床構造体と例えば芝生の間に十分な空間を提供し、これによって、芝は、柱脚の場所以外では踏み潰されず、よって台無しにされない。さらに、例えばアイス・ホッケー場の氷の上に施工するときに、柱脚は、断熱板を氷面から離して保ち、これによって、断熱板の面が氷に付着して凍結しない（小さな面領域を有する柱脚は、板全体のサイズの面よりも相当容易に氷面から分離される。）。さらに、柱脚によって確立されて板と設置面の間に残される空間は、本明細書のどこかで指摘するように、床と設置面の間にチューブ及び配線等を目立たず安全に据え付けることを可能にする。
【００１９】
本発明による断熱板は、断熱性のみではなく防音性も提供することが判明している。そのサービス位置で、断熱板は、空間利用性を向上させる。これは、様々な実施のために、独立した施設（例えば、アイス・ホッケー競技場、コンサート・ホール、会議場又は宴会ホール）又は領域（例えば競技場）を効率的に使用することを意味する。
【００２０】
本発明の断熱板を使用して実施される、本発明の一態様による高床システムは、特許公開ＥＰ０４８８３１２Ａ１、ＪＰ０３−１０７０５８及びＷＯ９９／６４６９４に開示された解決手段と比べて一層容易に温床として施工できる。この主な理由は、実質的に閉鎖した隙間及び可能であれば利用される追加の断熱体が効果的な断熱を形成するためである。他方では、実質的に連続した面のみならず柱脚も、少なくとも１つの断熱材料から施工されるため、断熱板型の基礎自体も熱伝導度が低いので、高床を使用して、冷床から生じる隙間風の感覚を一層容易に排除できる。追加の断熱層又は表面層を必要とせずに、基本的な現場打ちコンクリート・スラブ又は建築物の要素の上に高床を直接据え付けることができる。高床は、同時に設置用床板を構成する。これは、施工費用の大幅な節約を意味する。
【００２１】
単一部品として製作されることで、断熱板が纏まり、柱脚間の距離の殆ど全てが一定に保たれる。この態様に加えて、単一部品の製作の実施によって、断熱板は、持続する耐熱性に関して良好である。実質的に連続した面及び柱脚が仮に異なる材料から施工される場合、それらの異なる熱膨張挙動に起因する熱密閉性の低下を予防するために温度条件を変化させることが難しくなる。
【００２２】
断熱板の下縁で連続面の下縁に終端するように断熱板の柱脚が適合されるときには、例えば、コンクリート又は他の未製作の床の上等、その設置ベースに形状嵌合の態様で設置できるように基礎を施工でき、したがって、断熱板の下に広範な冷却空間を発生させずに、断熱板の下に冷気が到達するのを一層効果的に制限できる。
【００２３】
断熱板の設置レベルよりも高く連続面の下縁を持ち上げるように柱脚が適合されるときには、断熱板からその設置ベースへの熱伝導又はその逆の熱伝導も減らすことができる。これは、断熱板の屋外サービス・オプション、及び、例えばアイス・アリーナのカバー・パネルとしてのそのサービスを向上させる。
【００２４】
柱脚のうちの少なくとも幾つかが少なくとも１つの装着要素を含む、又は装着要素を形成するときには、結果として、基礎の多用途性が向上する。
【００２５】
一態様によれば、装着要素は、挿入取付具、特にボルト若しくはネジ取付具のための、柱脚の上にある取付孔若しくはネジ切であり、又は取付孔若しくはネジ切を備えてもよく、柱脚の上にある挿入体、特に、取付ボルト若しくはネジであり、又は挿入体を備えてもよい。これによって、断熱板を一層容易に互いに固定する可能性を提供する。これに加えて又は代えて、断熱板を覆うことを目的とする床を断熱板に一層容易に取り付けることができる。
【００２６】
一態様によれば、装着要素は、柱脚の上にある溝若しくは柱脚の上に延びる溝であり、又は溝を備え、溝は、柱脚の少なくとも２つの縁からその内部に延びており、少なくとも１つのチャネルを形成する。これによって、断熱板又は基礎を一層容易に互いに固定できる。
【００２７】
一実例によれば、断熱板は、断熱板又は断熱板から形成されたシステムに、間仕切り、扉、電気及び照明解決手段、ＨＶＡＣ設備及び特徴、並びに他の取付具等、様々な特徴及び装置を嵌めるのを容易にするような装着要素も備えてよい。
【００２８】
一態様によれば、装着要素は、設置ケーブル、ホース若しくはチューブを据え付けるための溝若しくはチャネルであり、又は溝若しくはチャネルを備える。これによって、完全に設置された床で柱脚の位置を見つけるのが非常に一層容易であるので、完全に設置された床で設置ケーブル、ホース若しくはチューブを見つけるのを容易にする。
【００２９】
一態様によれば、装着要素は、横方向に形状制限された少なくとも１つの保持要素、特に蟻継ぎ及び／又は装着要素の嵌合部を備える。よって、これによって、単純な態様で基礎の相互連結を行う可能性を提供する。
【００３０】
一態様によれば、装着要素は、床板の縁部を保持するための、柱脚の少なくとも１つの壁にある少なくとも１つの溝若しくは切込みであり、又は溝若しくは切込みを備える。これによって、可能であれば、高床、壁等のみならず、孔を空けずに可能であれば器具なしで固定されるべき床パネルの殆ど全てを可能にする。これによって、床パネルの損傷を回避でき、これによって、同一の床パネルが様々な状況で一層再使用可能となる。さらに、床パネルに孔を開ける必要がないことで、床パネル内に湿気又は水分が行き着くのを防ぐための改良された能力が提供される。
【００３１】
一態様によれば、装着要素は、基礎の上にセットされるべきパネル型部品の静止摩擦を減少又は増加させるために柱脚自体の面の摩擦係数に対して柱脚の面の摩擦係数を変化させるための少なくとも１つの平板型要素であり、又は平板型要素を含む。静止摩擦を増加させると、一層固定された床を施工する可能性が提供される。摩擦係数を減少させると、より小さな力で横方向にずらすことができる床を施工する可能性が提供される。
【００３２】
断熱板のうちの１つを上下反転させ、これを１つの柱脚の幅に実質的に略等しい距離を越えてずらすことによって、断熱板を他の同様な断熱板に積み重ねることができ、これによって、得られた積重ね体に少なくとも横方向に加えられた押し又は引きに対して柱脚が組み合わさり且つ積重ね体を安定化させるように、断熱板の柱脚が構成されるときには、未使用中又は例えば輸送中に小さな空間に断熱板を収容する性能が提供される。
【００３３】
柱脚間にあり、且つ重なり合った各基礎の連続面の間の領域に、フォーク・リフトのフォークによって積重ね体から断熱板を抜き取れる距離が残るように、断熱板がさらに構成されるときには、相対的に小さな空間に輸送可能な断熱板を使用して、組立て可能な高床を機械的な態様で組み立てられる。よって、一時的なサービスのために、例えば、アイス・ホッケー競技場の床等の大きな空間を覆うことが一層容易となる。
【００３４】
床システム等で、並べて配置された及び／又はコーナ同士に配置された断熱板の取付孔若しくはネジ切のボルト若しくはネジ取付具を使用して、並びに／或いは、１つの取付ボルト又は複数の取付ボルト若しくはネジを使用して、断熱板のうちの少なくとも幾つかが互いに固定されるときには、単純な態様で断熱板を互いに対して相互連結する性能が提供される。
【００３５】
高床システム等の床システム等で、並べて配置された及び／又はコーナ同士に配置された断熱板のチャネルにセットされた保持要素を使用して、設置された床システム等からの保持要素の取外しをパネル型部品が防ぐように、断熱板のうちの少なくとも幾つかが互いに固定されるときには、設置した床等から保持要素を不注意で取り外すことを一層良好に避ける性能が提供される。
【００３６】
床システムでは、横方向に形状制限された少なくとも１つの保持要素を使用して、断熱板のうちの少なくとも幾つかが互いに固定されるときには、取外し可能な保持要素なしに、断熱板の取付けを行う性能が提供される。取外し可能な保持要素の排除は、取外し可能な要素が分解中又は輸送中に紛失しうるので、方々に輸送可能であることが意図されるような床等に特に有利である。さらに、実際に記述する保持要素は、例えば、一時的なサービスを目的とする解決手段で組立て及び分解を相当促進する。
【００３７】
床システムの断熱板のうちの少なくとも幾つかで、装着要素が、少なくとも１つの柱脚の少なくとも１つの壁にある、床パネルの縁部を保持するための溝若しくは切込みであり、又は溝若しくは切込みを備えるとき、並びに、そのような断熱板のうちの少なくとも幾つかが、動かないように固定するためにパネル型部品によって互いに対して固定されるときには、取外し可能な保持要素を有することなく、又はより少ない保持要素を有することによって、床システム等を実施する性能が提供される。
【００３８】
さらにまた、断熱板は、断熱板の縁領域のうちの少なくとも１つに、断熱板を互いに取り付ける工程中に防火線を確立するための特徴を備えてもよく、特徴は、金属、コンクリート若しくは石等の実質的に不燃性の材料、及び／又は燃焼特性に関して断熱板の材料とは異なる防火材料を備える。防火線は、例えば、耐火性の貫入体を備えてもよい。防火線は、断熱板の高さと等しい高さを有することが最も好ましい。
【００３９】
次のセクションでは、添付図面を参照しながら、もう少し詳しく本発明の好ましい例示的な実施例について記述する。
【図面の簡単な説明】
【００４０】
【図１】本発明の好ましい一実施例による、１つの断熱板、及び断熱板の柱脚に含まれるべき挿入体を示す図である。
【図２】本発明の好ましい一実施例による、断熱板の柱脚の可能な一デザイン、及び一層近景での挿入体を示す図である。
【図３】本発明の好ましい一実施例による、断熱板の柱脚に含まれるべき、摩擦を増加又は減少させる一平板を示す図である。
【図４】本発明の好ましい一実施例による、実質的に連続した面の下に隙間が残された断熱板の一実施例を示す図である。
【図５】本発明の好ましい一実施例による、高床の製作のために断熱板を互いに取り付け、パネル型部品を取り付ける一方法を示す図である。
【図６】本発明の好ましい一実施例による、高床の製作のために断熱板を互いに取り付け、パネル型部品を取り付ける一方法を示す図である。
【図７】本発明の好ましい一実施例による、断熱板を互いに取り付ける一方法を示す図である。
【図８】本発明の好ましい一実施例による、断熱板を積み重ねる一方法を示す図である。
【図９】本発明の好ましい一実施例による、断熱板を積み重ねる一方法を示す図である。
【図１０】本発明の好ましい一実施例による、高床の製作のために断熱板を互いに取り付け、パネル型部品を取り付ける一方法を示す図である。
【図１１】本発明の好ましい一実施例による、設置ケーブル、ホース及びチューブを据え付ける一方法を示す図である。
【図１２】本発明の好ましい一実施例による、断熱板を互いに取り付ける一方法を示す図である。
【図１３】本発明の好ましい一実施例による、断熱板を互いに取り付けるための一締付けブロックを示す図である。
【図１４】本発明の好ましい一実施例による、断熱板を互いに取り付けるための一締付けブロックを示す図である。
【図１５】本発明の好ましい一実施例による、並べて配置された断熱板にパネル型部品を取り付ける一方法を示す図である。
【図１６】本発明の好ましい一実施例による、並べて配置された断熱板にパネル型部品を取り付ける一方法を示す図である。
【図１７】本発明の好ましい一実施例による、補強要素によって支持要素の取付けを補強する一方法を示す図である。
【図１８】本発明の好ましい一実施例による区画化された一断熱板を示す図である。
【図１９Ａ】本発明の好ましい一実施例による少数の柱脚要素を示す図である。
【図１９Ｂ】本発明の好ましい一実施例による少数の柱脚要素を示す図である。
【図１９Ｃ】本発明の好ましい一実施例による少数の柱脚要素を示す図である。
【図１９Ｄ】本発明の好ましい一実施例による少数の柱脚要素を示す図である。
【図１９Ｅ】本発明の好ましい一実施例による少数の柱脚要素を示す図である。
【図１９Ｆ】本発明の好ましい一実施例による少数の柱脚要素を示す図である。
【図２０Ａ】本発明の好ましい一実施例による少数の換気機構を示す図である。
【図２０Ｂ】本発明の好ましい一実施例による少数の換気機構を示す図である。
【図２０Ｃ】本発明の好ましい一実施例による少数の換気機構を示す図である。
【図２０Ｄ】本発明の好ましい一実施例による少数の換気機構を示す図である。
【図２１Ａ】本発明の好ましい一実施例による溝形解決手段を示す図である。
【図２１Ｂ】本発明の好ましい一実施例による溝形解決手段を示す図である。
【図２１Ｃ】本発明の好ましい一実施例による溝形解決手段を示す図である。
【図２１Ｄ】本発明の好ましい一実施例による溝形解決手段を示す図である。
【発明を実施するための形態】
【００４１】
図１は、本発明の一断熱板を示しており、より具体的には、断熱板型の基礎１００、及び基礎の柱脚１０３に組み込まれるべき挿入体１０２を示している。柱脚１０３の上面は、その上に据えられるべき床パネルを支えるのに適している。幾つかの実例に関連して基礎について続けて言及するが、基礎は、断熱板の使用目的の１つにすぎず、いかなる意味においても本発明の断熱板を基礎に限定するものではない。
【００４２】
幅がａであり、厚さがｂである柱脚の間には、実質的に連続した面１０１が残される。連続面１０１及び柱脚１０３は、少なくとも１つの断熱材料から単一工程で一部品として製作される。
【００４３】
柱脚及び実質的に連続した面は、断熱板を横切る連続面１０１の少なくとも実質的に上の柱脚１０３の間の空間を通って連続面１０１の上に、設置ケーブル、さらに可能であれば設置ホース又はチューブも引き込まれうるような相互配置を有する。
【００４４】
断熱板１００の場合に柱脚１０３は、その下縁で連続面１０１の下縁に終端するようになっている。
【００４５】
利用される断熱材料は、発泡ポリプロピレンＥＰＰ、発泡ポリスチレンＥＰＳ、ウレタン又は他の閉鎖型若しくは開放型の細胞化プラスチック（cellularizedplastic）材料である。断熱材料を、最近の鉱物由来材料又は他の天然繊維材料とすることもできる。
【００４６】
柱脚１０３及び実質的に連続した面１０１は、互いに一体化される。それらを同一材料から同一工程で作ることが最も好ましい。よって、柱脚１０３の上側面及び下側面も同一材料であり同一工程で生成される。これによって、製作工程を簡略化でき、上側と下側での別々の塗装工程から生じる機械的及び熱力学的な問題を回避できる。本明細書で記述される、断熱板に一体化される、設置要素及び／又は締付け要素等の他の要素も、本発明の好ましい実施例に従って同一工程で製造される。
【００４７】
断熱板１００を鋳造によって作ることが最も好ましい。妥当な製作方法は、焼結、回転鋳造、射出成形及び真空成形を含むことが好ましい。
【００４８】
製作工程では、断熱板１００は、おそらく締付け要素に必要とされる、断熱板に一体化された嵌合凹部及び開口も有する。
【００４９】
図２は、基礎２００が柱脚１０３に加えて柱脚２０３も備えるという点で図１の基礎１００とは異なる、随意選択的な基礎２００を示している。
【００５０】
柱脚２０３は、その垂直面に溝又は切込み２１０を有する。これに加えて、柱脚２０３は、その上面に溝２１１、２１２を備える。
【００５１】
柱脚１０３、２０３の幾つかには、取付ピン用の孔２８０を備える。
【００５２】
柱脚１０３、２０３の全て又は幾つかには、挿入体１０２用の孔１０５を備える。
【００５３】
挿入体１０２は、ステム１０７、シール・ディスク２９１、２９２、２９３、２９４及びヘッド１０４を備える。ヘッド１０４は、締結ネジ又はボルトが通過できる開口を有しており、締結ネジ又はボルトは、結果として、例えば、スクリュー・ドライバ又はＡｌｌｅｎキー係合のための、例えば、チャックを有するナット・ランナに係合される。
【００５４】
実質的に連続した面１０１は、等厚の断熱面であることが最も好ましい。追加の断熱性を提供するために、連続面１０１は、ベースに定着して構造体の断熱性能を高める、突起又は柱脚をその下側面に備えてもよい。
【００５５】
基礎１００、２００間の継目をシールできる溝形又は他の縁特徴を含むように、実質的に連続した面１０１を構成できる。例えば図９、１０、２１に関連して、溝形特徴の少数の実例について記述する。実質的に連続した面１０１に柱脚部材を一体化することもでき、面と柱脚部材の両方は、断熱板１００、２００の上に据えられるべき荷重を支え、必要とされる加熱用、配管用、換気用、電気用及び他の技術的なラインを引き込んで据え付けるのに適した断熱用の隙間又は容積を断熱板自体の下に確立する。
【００５６】
実質的に連続した面１０１の下の高さを、例えば芝生用に、０〜８０ｍｍとすることができる。結霜付着を防ぐために、特に好ましい場合に３ｍｍである、下面高さｍ（図４参照）がある。柱脚１０３、２０３に関して、３〜１８０ｍｍである高さｈ（図１参照）又はｎ（図４参照）がある。
【００５７】
利用される鋳造金型には、調節可能な柱脚要素を設けることが好ましく、これによって、同一の１つの金型によって高さｈ及びｎを２５、５０又は８０ｍｍのサイズのいずれかとして選択して作ることができる。
【００５８】
特に、例えば天然芝用の成長空間を残す必要があるときには、上面及び下面の高さｎ及びｍを実質的に略等しい高さとすることが最も好ましい。
【００５９】
本発明の断熱板、基礎及び／又は高床システムを様々な材料用の保護パネルとして使用できる。
【００６０】
例えば、普通の床（すなわち氷ではない）が必要とされる運動又はコンサートのイベントを催すためにホッケー競技場を使用しようとするような状況では、それらを、例えばホッケー競技場の氷を保護するために使用できる。そのような場合には、高床システムを施工し解体するのに数時間しかかからない一方で、氷を作り直すには数日かかるので、氷を融かすのは望ましくない。
【００６１】
断熱板、基礎及び／又は高床システムを使用するための他の可能な応用は、岩粉床張りホールの面の保護、運動用の木製床張り、並びに人工及び天然の芝の保護を提供することである。天然芝の保護に関しては、芝地に据えられる柱脚は、芝用の空間を残すためにより高くなければならない。
【００６２】
断熱板１００、２００のサイズは、製作エンジニアリングに関して何が可能であるか、例えば床システム等に使用されるパネル型部品（例えば、表面パネル又は表面構造体）の最適なサイズがどの程度であるか、及び組立エンジニアリングに関して何が目的に最も適うかに依る。
【００６３】
概して現在のところ、断熱板１００、２００のサイズは、４００×４００ｍｍ〜１２００×１２００／２４００ｍｍの範囲内で変化してもよく、６００×６００ｍｍが最も好ましい。
【００６４】
図３は、断熱板３００の形式の代替実施例を示している。断熱板３００の柱脚３０３には、平板３０５が据えられており、その材料は、柱脚３０３の材料とは異なる摩擦係数を有する。よって、平板３０５は、柱脚３０３の位置で、断熱板３００の上に据えられるべき少なくとも１つのパネル型部品と断熱板３００との間の摩擦係数が、平板３０５を使用しない場合よりも高いか低いかという点で違いを生じさせる。
【００６５】
平板３０５を柱脚３０３に嵌めて平板３０５を一層堅く固定して保つために、柱脚３０３は、平板３０５を嵌めるための凹部３０４を含む。
【００６６】
図３の断熱板３００には、柱脚３００のみを備える。断熱板の前述した又は後述する任意の実施例は、それでも１つ又は複数の柱脚３０３を含んでもよい。
【００６７】
図４は、実質的に連続した面１０１の下に隙間４４４が残される断熱板４００の形式の代替実施例を示している。この実施例では、柱脚１０３は、連続面１０１の下縁であるものの下に延びる。
【００６８】
例えば、設置チューブ４２、ケーブル４１若しくはホース４３を設置するために又は芝生用の成長空間として、隙間４４４を利用できる。
【００６９】
断熱板４００のコーナ位置の柱脚４１１、４１２、４１３、４１４は、少なくとも２つの縁部から各柱脚の端部の内側に延びる溝２１１、２１２を備える、柱脚の上端及び下端の両方を設置要素として有する。溝２１１、２１２は、柱脚の各端部にチャネルを集合的に形成する。
【００７０】
図４の断熱板４００は、そのような切込み付きの柱脚４１１、４１２、４１３、４１４をコーナのみに有する。様々な断熱板の前述した又は後述する任意の実施例は、それでもそのような柱脚４１１、４１２、４１３、４１４を１つ又は複数含んでもよい。これらは、特に、例えば図６に表示するように、断熱板が中央の柱脚２０３、及びコーナの柱脚４１１、４１２、４１３、４１４を有するように、柱脚２０３との組合せで存在してもよい。
【００７１】
図５は、例えば図１に提示するように断熱板又は基礎１００を互いに取り付けて施工される高床システム５００を示しており、断熱板のコーナの柱脚１０３は、柱脚４１１、４１２、４１３、４１４と置き換えられる。よって、修正された断熱板１００は、まず互いに取り付けられる。最後に、少なくとも１つのパネル型部品５３０は、高床システムを作るために、接合された断熱板に孔５３１を通じて固定される。
【００７２】
断熱板は、例えば、上側の成形品１４００（図１４参照）及び下側の成形品１３００（図１３参照）を使用して、上側と下側の両方で互いに接合されることが好ましい。成形品１３００は、孔５１６を備える取付ラグ５１１、及び取付ラグ５１１間に存在する補強アーム５１２を備える。
【００７３】
少なくとも１つのパネル型部品５３０（例えば表面パネル又は表面構造体）を、例えばネジ５１０を推進して、成形品１４００の取付ラグ５１１と位置合せして取り付けることができる。同時に、成形品１３００及び１４００は、ネジ５１０が通過する、断熱板の柱脚４１１、４１２、４１３、４１４によって、互いに締め付け合ってそれらの断熱板に締め付けられる。したがって、利用される断熱板は、成形品１３００、１４００によって形状限定の態様で互いに固着される。
【００７４】
図１３から明らかなように、下部の成形品１３００にはネジ孔５１８が設けられれば十分であろう。設置を容易にして促進するために、上部の成形品１４００の孔５１６をより大きな非ネジ孔にすることができる。
【００７５】
図６は、断熱板を互いに取り付けるための、図５に示すもの以外の機構を有する高床６００の実施方法を示している。
【００７６】
図５に示す修正された基礎１００とは反対に、実際に利用される基礎は、中央に位置する柱脚１０３が、必ずしも溝又は切込み２１０が設けられなくてもよいが、柱脚２０３で置き換えられる点で、図５に示す基礎と異なる。
【００７７】
設置に使用される成形品６３２は、４つの孔６３３を有する枠を備える。枠は、柱脚４１１、４１２、４１３、４１４の各チャネルにセットされ、その後に少なくとも１つのパネル型部品５３０（例えば表面パネル又は表面構造体）は、基礎を成形品６３２に締め付け、これによって互いに締め付け、同時に、少なくとも１つ、しかし好ましくは１つよりも多いパネル型部品５３０に締め付けるための、各孔６３３を通る締結ネジ５１０によって固定される。
【００７８】
成形品６３２に加えて又は代えて、溝２１１、２１２にそれぞれ嵌められ、柱脚２０３の挿入体１０２にネジ５１０で固定される設置棒６１１、６１２を使用して、高床システムの組立を行うことができる。パネル型部品５３０の上から締結を行う場合、パネル型部品５３０を装着棒６１１、６１２に上手く取り付けられ、この断熱板の隣の断熱板にも装着棒６１１、６１２をそれぞれ固定するならば、同時に装着棒同士も上手く取り付けられる。
【００７９】
さらに前述した機構又はそれらの組合せのいずれかを使用して断熱板を互いに接合するような方法でも、高床システム６００を施工できる。図７は、断熱板が柱脚１０３を備え、断熱板のコーナの柱脚４１１、４１２、４１３、４１４を備え、成形品１３００、１４００及びネジ５１０の助けによって断熱板が互いに接合される場合を示している。
【００８０】
断熱板では、柱脚１０３、４１１、４１２、４１３、４１４の間に補強棒５０１を利用できる。
【００８１】
図８は、断熱板８００の積重ね工程を示している。断熱板８００は、例えば図７に示す断熱板と同様である。断熱板８００の積重ねは、柱脚を正しく寸法決めし離間させる単純な工程である。柱脚１０３、４１１、４１２、４１３、４１４は、断熱板８００のうちの１つを上下反転させ、これを１つの柱脚１０３、４１１、４１２、４１３、４１４の幅ａ又はｂ（図１参照）に本質的に略等しい距離ずらすことによって、他の対応する断熱板８００に断熱板８００を積み重ねられ、これによって、柱脚１０３、４１１、４１２、４１３、４１４は、互いに組み合わさり、得られた積重ね体の横方向の少なくとも押し又は引きに対して積重ね体を支持するような構成にある。柱脚１０３、４１１、４１２、４１３、４１４に代えて又は加えて、断熱板８００は、前述した又は後述する柱脚と同様の任意の柱脚を含んでもよい。
【００８２】
断熱板８００は、柱脚１０３の間（又は他の柱脚間）の領域内に、重ねた各断熱板８００の連続面１０１の間に距離ｅが残るように構成され、前記距離は、フォーク・リフトのフォークによって積重ね体から断熱板を抜き取れる距離ｅを考慮して寸法決めされることが最も好ましい。距離ｄが０を越える場合、可能性のある湿気を距離ｄによって蒸発除去できるので、冬季気象条件での保管中及び輸送中における基礎８００同士の凍結を妨げることができる。
【００８３】
図９は、図８に示す積重ねの実施例と同様の積重ねの実施例を示している。しかし、この場合に断熱板９００は、より小さな２つのブロック１０００を組み立てて作られる（図１０参照）。原理的に、断熱板９００を２つ以上のブロック１０００とすることもでき、例えば、図１２に示す断熱板１２００が役に立つ。
【００８４】
図１０によれば、断熱板９００は、より小さな２つのブロック１０００を互いに接合して作られる。組み立てられた断熱板９００は、取扱いを一層促進する。雄取付手段１００２を含む柱脚９０１、及び雌取付手段１００１を含む柱脚９０２を使用して、取付けを行うことが好ましい。例えば、蟻継ぎは、非常に機能的な取付方法である。
【００８５】
これに加えて又は代えて、柱脚４１１、４１２、４１３、４１４、及び、例えば、１つの成形品６３２、又はブロック１０００で接続機構に締結される２つの成形品１３００、１４００を使用することもできる。
【００８６】
前述したように、少なくとも１つのパネル型部品５３０は、本発明の基礎を提供するために、成形品６３２（又は１３００及び１４００）で接続機構に締結され、同時に断熱板９００に締結される。
【００８７】
断熱板９００は、水平雄突条１０５０及び水平雌溝１０５１を示す視認可能な目印を有する。基礎９００の側部にある雄突条１０５０及び／又は雌溝１０５１によって、これらは、断熱板９００の間に重合部がなく垂直継目のみがある場合に関して防音及び／又は断熱の性能を向上するために、互いに対して重なり合うことができる。図２１Ａ〜図２１Ｅは、とりわけ、断熱板の垂直方向の熱伝導を減らし、よって直接的なヒート・ブリッジ等を排除する、様々な溝形解決手段をさらに図示している。
【００８８】
一実例によれば、例えば２つの側部に水平雄突条１０５０があり、他の２つの側部に水平雌溝１０５１がある。代わりに、図２１Ａ〜図２１Ｅに特に提示するように、１つおきの断熱板９００を雄突条１０５０のみで実施でき、１つおきの断熱板を雌溝１０５１で実施でき、又は幾つかの混成溝形／側部関係で実施できる。
【００８９】
水平の雄突条１０５０及び雌溝１０５１に加えて又は代えて、重ね合わせを行い、これによって直接的なヒート・ブリッジの形成を排除するために、実施可能な他の構成を利用できる。
【００９０】
実際に記述する重合せコンセプトは、断熱板又は基礎の前述した又は後述する任意の実施例に関連して使用できる。
【００９１】
図１１は、断熱板１１００によって確立された構造体の中央での設置ケーブル、チューブ、及びホースの据付けを示している。
【００９２】
断熱板１１００は、その柱脚１１０３が、例えば柱脚１１０３の上端にある溝１１０８を備え、溝１１０８は、この場合、例えば、設置チューブ４２又はホース４１を据え付けるため等の設置を実施するために使用できる。溝１１０８は、チャネルを形成する。
【００９３】
柱脚１１０３は、チャネルにある設置チューブ４２又はホース４３又はケーブル４１を保護するための保護部品１１０４、１１０５、１１０６及び１１０７で上面を覆われる。
【００９４】
適した締付けブロックによって断熱板１１００を互いに取り付けるために、柱脚１１０３を使用できる。
【００９５】
図１２は、２つの側部に接合特徴を有する柱脚１２０１をそのコーナが備える点で図１０に示すブロック１０００とは異なる、基礎１２００を示している。これに加えて、断熱板１２００は、それぞれの側部に柱脚９０１、９０２を有する。
【００９６】
図１５は、並べて配置された断熱板に対するパネル型部品１５３０の取付けを図示している。パネル型部品１５３０は、その縁部１５３１が溝又は切込み１５０３に嵌るように曲げられている。これは、例えば高床１５００を施工する方法であるが、同様の類推は、例えば壁、隔壁、天井又は同様なシステム等の他の構造体にも当てはまる。
【００９７】
図１６は、部品１５３０が、溝又は切込み２１０に嵌るようにその縁部１５３１が曲げられている、取付けの実施例を示している。
【００９８】
図１７は、棒等の補強特徴による断熱板の取付けを視覚化している。棒１７１０、１７０１を断熱板の補強のために使用できる。断熱板にある挿入体又は孔１０５のみに単に棒１７１０、１７０１を締結することによって、棒をネジ５１０で固定することが最も好ましい。孔１０５は、この場合に、断熱板の平面から立ち上がるのではなく、棒１７０１、１７１０用の溝２１１、２１２に位置することが好ましい。
【００９９】
一実例によれば、断熱板は、間仕切り、扉、電気及び照明の解決手段、ＨＶＡＣの装置及び特徴並びに他の付属品等の様々な特徴及び設備を、断熱板又はこれによって形成されたシステムに嵌め込むのを容易にする装着要素として機能するような補強特徴１７１０、１７０１も備えてよい。装着要素を、例えば、成形構造体、鋳造物又は異形材（profile）とすることができ、断熱板の成形構造体及び／又は断熱板に装着要素を当接でき、或いは、断熱板にある挿入体又は孔に装着要素を固定できる。代わりに、断熱板の下にある材料に断熱板を通じて装着要素を固定もできる。装着要素を断熱板に補強することによって、断熱板が熱及び音の伝搬を効果的に遮るので、熱及び音響エンジニアリングの観点における利点を達成できる。
【０１００】
一実例によれば、例えば、配線及びチューブ（電気、ＨＶＡＣ）、並びに／或いは制御及び調節エンジニアリングのために必要とされる他の配線システムを接続又は延長するためにも、装着要素を使用できる。さらに、前述した特徴及び／又は設備等の、装着要素に関連する構造体を、例えばまっすぐな直立姿勢等の特定の角度に矯正又は調節するためにも、装着要素を使用できる。断熱板のカバー・パネル、複数のそのような板で形成された床又は壁システム等のシステムに接触しないように、様々な加熱、安全、電気、調節及び照明の特徴を設置可能にするためにも、装着要素を使用でき、これによって、容易に開放及び交換できる性能をカバー・パネルに提供する。装着要素を接地もでき、これによって、装着要素に関連する器具は、装着要素を通じて容易且つ確実に接地される。
【０１０１】
得られた組み合わされた断熱板及び／又は基礎を一層都合良く取扱えるように、前述した様々な実施例による断熱板及び／又は基礎を分離可能な態様で互いに接続できる。例えば、１２００×１２００ｍｍのサイズの単一の断熱板を得るために、６００×６００ｍｍの４枚の断熱板（又はブロック）を互いに接続できる。
【０１０２】
図面にも見られる氷被覆パネルの一応用は、蟻継ぎ及び固着ピンで取外し可能に互いに接続される６００×１２００ｍｍのブロック２枚から作られる。これによって、１２００×１２００ｍｍのサイズの基礎が得られる。
【０１０３】
実際に議論されるピン固着又は１つ若しくは２つの成形品による固着以外の締付け特徴を使用しても、断熱板同士の取付けを行うことができる。様々なラッチ、棒又は楔を使用して、取付けを行うことができる。補強要素を補強要素のベースに直接固定することもできる。
【０１０４】
断熱板を互いに固定してベースに一層堅く固定するために、それらの間に様々な固着要素及び締付けシステムの利用を適用できる。
【０１０５】
断熱板の形状は、殆ど何でもよい。柱脚の形状を、例えば、四角形、円形又は楕円形とすることができる。基礎当りの柱脚の数は、４〜４００個である。発明者が最初に施工した断熱板は、６００×６００ｍｍサイズの断熱板に１６個の柱脚を有する。
【０１０６】
断熱板に一体化される様々な蟻溝又は同様の構造体を使用して、断熱板を互いに接続できる。よって、別個の接続要素なしに、断熱板同士の取付けを行うことができる。
【０１０７】
内部及び外部の壁並びに天井及び屋根の施工にも、断熱板を利用できる。
【０１０８】
図１８は、高床システムの施工に使用される断熱板１８００を示している。図１８の例示的な実施例では、柱脚２０３の形式で柱脚を示しているが、実質的に連続した面１０１と共同で前述した任意の柱脚（又はそれらの組合せ）を使用して柱脚を実施できる。
【０１０９】
断熱板１８００は、断熱板の区画化を可能にする、柱脚間の間仕切り１８０１、１８０２を有する。幾つかの間仕切り１８０１、１８０２又はそれらの部品は、区画化の態様で、電気、データ又は最も一般的に、例えばＨＶＡＣの配線手順を行うために除去又は追加される。よって、可能性がある（例えば水）リークの場合には、こぼれは、その区画自体に制御可能に閉じ込められ、又は他の（例えば電気）区画に達しない。
【０１１０】
間仕切り１８０１、１８０２を除去又は追加して、少なくとも１つのシュート又はチャネル１８０４を断熱板１８００に形成でき、また、パネル型部品５３０、１５３０と共同で少なくとも１つの閉鎖区画１８０３を断熱板１８００に形成できる。よって、基礎１８００は、区画化された、シュートが付いた、及び／又はチャネルが付いた構成で、前述した高床システムのいずれかを施工するのに役立つ。
【０１１１】
図１９Ａ〜図１９Ｆは、本発明の好ましい一実施例による少数の柱脚要素１９００Ａ〜１９００Ｃを図示しており、この場合、柱脚要素１９００Ａ〜１９００Ｃは、例えば、本明細書で議論した断熱板の装着要素、締付け要素又は他の部品の部分とすることができる。柱脚要素は、例えば、ネジ付き脚部１９０１、又は互いに接続可能でさえある他のネジ付き要素１９０２を備えてもよく、これによって、ネジを用いて、ネジ付き要素を回転させて、本発明の断熱媒体、及び可能であれば断熱媒体と関連付けられるべき床等の面を特定の角度にセットできる。柱脚要素１９００Ａが、例えば、要素１９０１、１９０２によって柱脚要素の角度さえ調節できる複数のネジ付き要素１９０１、１９０２を備えてもよいことに留意されたい。他方では、柱脚要素１９００Ｂをネジ付き要素、又は要素１９０１、１９０２が共同で柱脚要素と一点で接続するだけのような構成とすることもでき、これによって、個別の柱脚要素１９００Ｂを、その角度を調節できないが、上下方向にのみ調節できる。
【０１１２】
平板状要素１９０３によっても柱脚要素１９００Ｃを実施でき、これによって、柱脚要素１９００Ｃの平板１９０３の追加若しくは除去、又は平板間の調節柱１９０４の追加若しくは除去によって、断熱板の高さ調節が行われる。
【０１１３】
図２０Ａ〜図２０Ｄは、本発明の好ましい一実施例による少数の換気装置２０００を図示しており、この場合、断熱板又はブロックのうちの少なくとも幾つかは、断熱板の少なくとも一側部に配置された柱脚間に残された空間を換気するための要素２００１、２００２、２００３、２００４を備える。
【０１１４】
換気要素を、例えば、断熱板のカバー解決手段２００３に含まれ、柱脚間に残されたチャネル・システム内に空気を循環させるようになっていることが最も好ましい、送風機又は排気機のいずれかのファン２００１ｂとすることができる。例えば床システム等の、断熱板から成るシステムは、好ましくは、少なくとも１つの第２の断熱板に空気補給要素２００１ｂを備えてもよく、補給空気が空気補給要素から排出され（換気要素２００１ａが排気機である場合）、又は循環されるべき空気が空気補給要素を通してチャネル・システムから除去される（換気要素２００１ａが送風機である場合）。
【０１１５】
一実例によれば、例えば空間の効率性及び機能性の観点から一層有益である場合に、カバー解決手段ではなく断熱板の端部２００４（図２０Ｂ）に換気要素２００２を装着できる。
【０１１６】
幾つかの実例によれば、換気要素によって生じた空気流を柱脚間の空間に確立されたチャネル・システムに沿って効果的に案内できるような方法で、断熱板用の柱脚を設計できることに留意されたい。これらに代えて又は加えて、例えば早ければ断熱板の製作工程中に、換気要素によって生じた空気流を望ましい態様で案内するための導流要素と共に断熱板を形成できる。
【０１１７】
一実例によれば、換気要素は、単なる孔、格子２００３、２００４、バルブ等又はこれらの組合せと、例えば、湿気及び／又はラドン等の除去のために設けられるべき十分且つ適当な換気を可能にする機械仕掛けの解決手段（送風／排気）とであってもよい。
【０１１８】
図２１Ａ〜図２１Ｅは、本明細書にて前述した、本発明の好ましい一実施例による幾つかの溝形解決手段２１００を図示している。溝形解決手段の目的は、個別の断熱板を一緒に組み立てるときに一層正確に互いに位置決めすることと、同時に、直接的なヒート・ブリッジの形成を排除して、特に断熱板に垂直な方向の断熱性を向上することとの両方である。溝形解決手段は、例えば、断熱板の交互の側部に配置できる、又は雄突条を有する隣り合う２つの縁部、及び雌溝を有する別の２つの縁部を設けて配置できる、雄突条及び雌溝から成ることが最も好ましい。図２１Ｄ及び図２１Ｅは、断熱板のための様々な溝形解決手段を上方から見て示している。
【０１１９】
本発明を添付の請求項のみに限定されるものとして解釈すべきではなく、それらの法律上の全ての均等物を包含するものとしてみなされなければならない。前述した説明は、本発明の解決手段の少数の実施例を開示するにすぎない。例えば、実施詳細及び使用分野に関して、請求項で規定された保護の範囲内で本発明の原理を当然に変更できる。特に、断熱ブロックの一応用が基礎であり、この場合に、例えば、床システム及び特に高床システムを提供するためのパネル型部品が断熱板の上に据えられることは、注目に値する。しかし、例えば、大規模な施工組立体の恒久的な部分又は一時的な解決手段のいずれかとしての壁、隔壁及び天井のシステム等の他の目的にも、実際に記述した断熱ブロックを使用できることに留意されたい。本発明の一実施例によれば、例えば、施工されるべき空間から予め得られた寸法によって決定されるような様々な形状及びサイズにも、実際に記述した断熱板を製作でき、これによって、本発明の断熱要素による様々な床、壁等のシステムの施工が特に簡便であり、且つ苦労を必要としないことにさらに留意されたい。一実例によれば、断熱要素の幾つかは、早ければ製作工程中に、前述したような、例えば、電気ライン若しくは他の配線システム又は補強特徴のための、断熱要素に一体化された適当な装着要素及び貫通部を有することができる。
【符号の説明】
【０１２０】
４１  設置ケーブル
４２  設置チューブ
４３  設置ホース
１００  基礎
１０１  実質的に連続した面
１０２  挿入体
１０３  柱脚
１０４  ヘッド
１０５  孔
１０７  ステム
２００  基礎
２０３  柱脚
２１０  溝又は切込み
２１１  溝
２１２  溝
２８０  孔
２９１  シール・ディスク
２９２  シール・ディスク
２９３  シール・ディスク
２９４  シール・ディスク
３００  基礎
３０３  柱脚
３０４  凹部
３０５  平板
４００  基礎
４１１  柱脚
４１２  柱脚
４１３  柱脚
４１４  柱脚
４４４  隙間
５００  高床システム
５１０  縁部
５１２  補強アーム
５１６  孔
５１８  ネジ孔
５３０  パネル型部品
５３１  孔
６００  高床
６１１  装着棒
６１２  装着棒
６３２  成形品
６３３  孔
９００  基礎
９０１  柱脚
９０２  柱脚
１０００  ブロック
１００１  雌取付要素
１００２  雄取付要素
１０５０  水平雄突条
１０５１  水平雌溝
１１００  基礎
１１０３  柱脚
１１０８  溝
１１０４  保護部
１１０５  保護部
１１０６  保護部
１１０７  保護部
１２００  基礎
１２０１  柱脚
１３００  成形品
１４００  成形品
１５３０  パネル型品
１５３１  曲げられた縁部
１５０３  溝又は切込み
１５００  柱脚
１７０１  棒
１７１０  棒
１８００  基礎
１８０１、１８０２  間仕切り
１８０３  閉鎖区画
１８０４  チャネル
１９００Ａ〜１９００Ｃ  柱脚要素
１９０１、１９０２  ネジ付き要素
１９０３  平板状要素
１９０４  調節ピン
２０００  換気装置
２００１〜２００４  換気要素
２１００  溝形解決手段
【図１】
2015513883.tif 000003
【図２】
2015513883.tif 000004
【図３】
2015513883.tif 000005
【図４】
2015513883.tif 000006
【図５】
2015513883.tif 000007
【図６】
2015513883.tif 000008
【図７】
2015513883.tif 000009
【図８】
2015513883.tif 000010
【図９】
2015513883.tif 000011
【図１０】
2015513883.tif 000012
【図１１】
2015513883.tif 000013
【図１２】
2015513883.tif 000014
【図１３】
2015513883.tif 000015
【図１４】
2015513883.tif 000016
【図１５】
2015513883.tif 000017
【図１６】
2015513883.tif 000018
【図１７】
2015513883.tif 000019
【図１８】
2015513883.tif 000020
【図１９Ａ】
2015513883.tif 000021
【図１９Ｂ】
2015513883.tif 000022
【図１９Ｃ】
2015513883.tif 000023
【図１９Ｄ】
2015513883.tif 000024
【図１９Ｅ】
2015513883.tif 000025
【図１９Ｆ】
2015513883.tif 000026
【図２０Ａ】
2015513883.tif 000027
【図２０Ｂ】
2015513883.tif 000028
【図２０Ｃ】
2015513883.tif 000029
【図２０Ｄ】
2015513883.tif 000030
【図２０Ｅ】
2015513883.tif 000031
【図２１Ａ】
2015513883.tif 000032
【図２１Ｂ】
2015513883.tif 000033
【図２１Ｃ】
2015513883.tif 000034
【図２１Ｄ】
2015513883.tif 000035
【図２１Ｅ】
2015513883.tif 000036
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
断熱板（１００、２００、３００、４００、８００、９００、１０００、１１００、１２００、１５００、１８００）等の断熱要素であって、実質的に連続した面（１０１）並びに前記面に関連付けられた第１及び第２の柱脚を備える断熱要素において、
第１の柱脚（１０３、２１０、３０３、４１１、４１２、４１３、４１４、９０１、９０２、１１０３、１２０１）のうちの少なくとも幾つかが、前記断熱要素の第１の面から現れるようになっており、前記柱脚の上面が、前記柱脚の上に据えられるべき、例えば床パネル（５３０、１５３０）等のパネルを支えるのに適しており、
前記柱脚（１０３、２１０、３０３、４１１、４１２、４１３、４１４、９０１、９０２、１１０３、１２９１、１５０３）及び前記連続面（１０１）の相互配置が、前記実質的に連続した面（１０１）の少なくとも第１の側の上の、前記柱脚（１０３、２１０、３０３、４１１、４１２、４１３、４１４、９０１、９０２、１１０３、１２９１、１５０３）の間の空間を通って、前記実質的に連続した面の上に前記断熱要素を横切るように、設置ケーブル（４１）及び、さらに設置ホース若しくは設置チューブ（４２）も引き込まれうるように実施されており、
第２の柱脚（１０３、４１１、４１２、４１３、４１４）のうちの少なくとも幾つかが、前記第１の面とは反対側の、前記断熱要素の第２の面から現れるようになっていることと、
前記連続面（１０１）及び前記柱脚（１０３、２１０、３０３、４１１、４１２、４１３、４１４、９０１、９０２、１１０３、１２９１、１５０３）が少なくとも１つの断熱材料から同一工程で一部品として製作されることと、そして
前記柱脚（１０３、４１１、４１２、４１３、４１４）が、前記断熱要素（４００）の装着レベルよりも高い位置に前記連続面の下縁を持ち上げるようになっていることを特徴とする、断熱要素。
【請求項２】
前記柱脚（１０３、２１０、３０３、４１１、４１２、４１３、４１４、９０１、９０２、１１０３、１２０１）のうちの少なくとも幾つかが、少なくとも１つの装着要素（１０２、１０４、１０５、１０７、２１１、２１２、３０５、１００１、１００２、１１０８、１５０３、１５０４、１７０１）を備えており、又は形成しており、
前記装着要素が、挿入取付具、特にボルト若しくはネジ取付具のための、柱脚柱脚の上にある取付孔（１０５）若しくはネジ切であり、又は前記取付孔若しくは前記ネジ切を備えており、或いは柱脚の上にある挿入体（１０２）、特に取付ボルト若しくはネジであり、又は前記挿入体を備えており、並びに／或いは、
前記装着要素が溝（２１１、２１２）若しくはチャネル（１１０８）であり、又は前記溝若しくは前記チャネルを備える、請求項１又は２に記載の断熱要素（１００、２００、３００、８００、９００、１０００、１１００、１２００、１５００、１８００）。
【請求項３】
前記断熱要素、最も好ましくはその縁部又は装着要素が、横方向に形状制限された少なくとも１つの保持要素（１００１、１００２）、特に蟻継ぎ及び／又は前記装着要素の嵌合部を備えており、或いは、前記断熱要素、その縁部及び／又は装着要素は、その縁領域に、例えば雄突条又は雌溝等、前記断熱要素の縁部と実質的に同一方向の溝形を備える、請求項１あるいは２に記載の断熱要素。
【請求項４】
前記装着要素が、前記柱脚の上に据えられるべき前記パネル（１５３０）の縁部（１５３１）を保持するための、少なくとも１つの柱脚（１０３）の少なくとも１つの壁にある溝若しくは切込み（１５０３）であり、又は前記溝若しくは前記切込み備える、請求項２あるいは３に記載の断熱要素。
【請求項５】
前記断熱要素、又は、特に前記断熱要素の装着要素が、パネル型ブロック（５３０、１５３０）の静止摩擦が減少又は増加するように、前記柱脚自体の面の摩擦係数に対して柱脚面の摩擦係数を変化させるための少なくとも１つの平板型要素（３０５）であり、又は前記平板型要素を備える、請求項１に記載の断熱要素。
【請求項６】
その柱脚（１０３）が、基礎のうちの１つを上下反転させ、１つの柱脚（１０３）の幅（ａ、ｂ）に実質的に略等しい距離を実質的に越えて前記基礎をずらすことによって、前記断熱要素を他の同様の断熱要素に積み重ねられ、これによって、前記柱脚（１０３）が、互いに組み合わさり、得られた積重ね体の少なくとも横方向に加えられる押し又は引きに対して前記積重ね体を支持するような構成にある、請求項１に記載の断熱要素（８００、９００）。
【請求項７】
前記断熱要素が、前記断熱要素に接続して配置された換気要素と共同で、前記第２の柱脚と前記連続面によって規定された空間を換気するために、得られた前記空間に空気流を発生させるようになっている、請求項１に記載の断熱要素。
【請求項８】
前記装着要素が、間仕切り、扉、電気及び照明用の解決手段、ＨＶＡＣ用の設備、構造体及び取付具等、前記断熱要素とは別個の前記断熱要素の特徴を、前記装着パネルを通じて装着するようになっている、請求項２に記載の断熱要素。
【請求項９】
前記断熱要素が、少なくともその縁領域のうちの１つに、前記断熱要素の組立工程中に防火線を提供するための特徴を備えており、前記特徴が、金属、コンクリート若しくは石等の実質的に不燃性の材料、及び／又はその燃焼特性が前記断熱要素の材料とは異なる防火材料を備える、請求項１に記載の断熱要素。
【請求項１０】
前記断熱要素が少なくとも１つの換気要素を備えており、前記換気要素が、送風機、排気機、バルブ、開口及び／又は、送風機、排気機、バルブ、開口のうちの少なくとも１つを備えるチャネルである、請求項１に記載の断熱要素。
【請求項１１】
前記断熱要素が、前記断熱要素の側部のうちの少なくとも１つに防火線を備えており、前記防火線が、金属、コンクリート若しくは石等の実質的に不燃性の材料、及び／又は燃焼特性が前記断熱要素の材料とは異なる防火材料を備える、請求項１に記載の断熱要素。
【請求項１２】
床又は壁システム等の構造体システムにおいて、断熱要素（１００、２００、３００、４００、８００、９００、１０００、１１００、１２００、１５００、１８００）を複数備えており、前記断熱要素が実質的に連続した面（１０１）並びに前記面に関連付けられた第１及び第２の柱脚を備え、
第１の柱脚（１０３、２１０、３０３、４１１、４１２、４１３、４１４、９０１、９０２、１１０３、１２９１、１５０３）のうちの少なくとも幾つかが、前記断熱要素の第１の面から現れるようになっており、前記柱脚の上面が、前記柱脚の上に据えられるべき、例えば床パネル（５３０、１５３０）等のパネルを支えるのに適しており、
前記柱脚（１０３、２１０、３０３、４１１、４１２、４１３、４１４、９０１、９０２、１１０３、１２９１、１５０３）及び前記連続面（１０１）の相互配置が、前記実質的に連続した面（１０１）の少なくとも第１の側の上の、前記柱脚（１０３、２１０、３０３、４１１、４１２、４１３、４１４、９０１、９０２、１１０３、１２９１、１５０３）の間の空間を通って、前記実質的に連続した面の上に前記断熱要素を横切るように、設置ケーブル（４１）及び、さらに設置ホース若しくは設置チューブ（４２）も引き込まれうるように実施されており、
第２の柱脚（１０３、４１１、４１２、４１３、４１４）のうちの少なくとも幾つかが、前記第１の面とは反対側の、前記断熱要素の第２の面から現れるようになっていることと、
前記連続面（１０１）及び前記柱脚（１０３、２１０、３０３、４１１、４１２、４１３、４１４、９０１、９０２、１１０３、１２０１）が少なくとも１つの断熱材料から同一工程で一部品として製作されることと、
前記柱脚（１０３、４１１、４１２、４１３、４１４）が、前記断熱要素（４００）の装着レベルよりも高い位置に前記連続面の下縁を持ち上げるようになっていること、そして
前記断熱要素が互いに接合され、床又は壁を施工するための少なくとも１つのパネル型部品（５３０、１５３０）が前記断熱要素の上に装着されることを特徴とする、構造体システム。
【請求項１３】
前記柱脚（１０３、２１０、３０３、４１１、４１２、４１３、４１４、９０１、９０２、１１０３、１２０１）のうちの少なくとも幾つかが、少なくとも１つの装着要素（１０２、１０４、１０５、１０７、２１１、２１２、３０５、１００１、１００２、１１０８、１５０３、１５０４、１７０１）を備えており、又は形成しており、
前記装着要素が、挿入取付具、特にボルト若しくはネジ取付具のための、柱脚柱脚の上にある取付孔（１０５）若しくはネジ切であり、又は前記取付孔若しくは前記ネジ切を備えており、或いは柱脚の上にある挿入体（１０２）、特に取付ボルト若しくはネジであり、又は前記挿入体を備えており、並びに／或いは、
前記装着要素が溝（２１１、２１２）若しくはチャネル（１１０８）であり、又は前記溝若しくは前記チャネルを備え、
取付孔（１０５）内のボルト若しくはネジ取付具を使用して、及び／又は１つの取付ボルト（１０７）、若しくは複数の取付ボルト（１０７）若しくはネジを使用して、並びに／或いは、
設置された前記床システムからの保持要素（６３２、１３００、１４００）の取外しを前記パネル型部品（５３０、１５３０）が防ぐようにチャネル（１１０８）にセットされた前記保持要素（６３２、１３００、１４００）を使用して、
断熱要素が側面対側面で、並びに／或いは、角対角で互いに取り付けられる、請求項１２に記載のシステム。
【請求項１４】
前記断熱要素、最も好ましくはその縁部又は装着要素が、横方向に形状制限された少なくとも１つの保持要素（１００１、１００２）、特に蟻継ぎ及び／又は前記装着要素の嵌合部を備えており、或いは、前記断熱要素、その縁部及び／又は装着要素は、その縁領域に、例えば雄突条又は雌溝等、前記断熱要素の縁部と実質的に同一方向の溝形を備え、そして
前記断熱要素が、横方向に形状制限された少なくとも１つの保持要素（１００１、１００２）によって互いに取り付けられる、請求項１２に記載のシステム。
【請求項１５】
前記断熱要素のうちの少なくとも幾つかが前記装着要素を有しており、
前記装着要素が、前記柱脚の上に据えられるべき前記パネル（１５３０）の縁部（１５３１）を保持するための、少なくとも１つの柱脚（１０３）の少なくとも１つの壁にある溝若しくは切込み（１５０４）であり、又は前記溝若しくは前記切込み備え、そして
断熱要素が、前記パネル型部品（５３０、１５３０）によって互いに対して固定される、請求項１２に記載のシステム。
【請求項１６】
前記断熱要素の位置又は角度を調節するための、前記断熱要素に関連付けられた少なくとも１つの高さ調節要素を備える、請求項１２に記載のシステム。
【手続補正２】
【補正対象書類名】明細書
【補正対象項目名】全文
【補正方法】変更
【補正の内容】
【発明の詳細な説明】
【技術分野】
【０００１】
本発明は、施工及び空間利用エンジニアリングの分野に関するものであり、同分野で使用される断熱板等の断熱要素、並びに、断熱要素を備える、例えば高床システム等の壁及び床システムに関するものである。
【背景技術】
【０００２】
米国特許第５，１８４，４３８号から、床設置に役立つ内装パネルユニットが知られている。米国特許第４，８５２，３１５号から、再調節可能な床システムが知られている。公開された国際特許公開第９９／６４６９４号から、床構造体に使用される支持モジュールシステムが知られている。
【０００３】
本発明者の初期の発明は、公開された国際特許公開第９８／１７３５７号に記述されている保護構造体を含み、公開された国際特許公開第９８／４６８３０号に記述されている、保護プレートに接続して使用される接合装置を含む。
【０００４】
欧州特許公開第０４８８３１２Ａ１号は、例えば、オフィス・オートメーションに使用されるケーブルの設置に適用できるシステム床を記述しており、システム床は、そのベースが、ベース・シートのコーナのコーナ支柱及びベース・シートの中央の中央支柱にコンクリートを打設して合成樹脂のベース・シート上に施工されている。コンクリートの硬化後に、ベース・シートは上下反転される。コンクリート充填済みのコーナ支柱及びコンクリート充填済みの中央支柱は、ベース・シートの上に据え付けられるべき床の重量を担う。
【０００５】
公開された日本国特許公開第０３−１０７０５８号は、並べて配置された帯鋼又は合成樹脂帯から成る床ベースを記述している。得られた格子は、その交差点で一定高さの柱を備える。帯鋼又は合成樹脂の使用のオプションとして、多孔板及び一定高さの柱によって床ベースを実施できる。
【０００６】
同様な形式の解決手段も、公開された国際特許公開第９９／６９６９４号に開示されており、この場合、高さが一定又は変化する射出成形された支持部材が格子で相互連結される。
【０００７】
公開された特許公開ＥＰ０４８８３１２Ａ１、ＪＰ０３−１０７０５８及びＷＯ９９／６４６９４の解決手段は、特に冬季には高床を冷たく感じ易いので、寒冷条件での使用には適さない。
【先行技術文献】
【特許文献】
【０００８】
【特許文献１】米国特許第５，１８４，４３８号
【特許文献２】米国特許第４，８５２，３１５号
【特許文献３】ＷＯ９９／６４６９４
【特許文献４】ＷＯ９８／１７３５７
【特許文献５】ＷＯ９８／４６８３０
【特許文献６】ＥＰ０４８８３１２Ａ１
【特許文献７】特開平０３−１０７０５８
【発明の概要】
【発明が解決しようとする課題】
【０００９】
本発明の一目的は、芝生の上又はアイス・ホッケー競技場の氷の上でのコンサートの期間等の単なる一時的なサービスのためだけではなく、構造建築要素としてのより長期的なサービスのために迅速且つ簡便に組み立てられるべき、とりわけ熱経済的に目的に適った、高床等を可能にする、多用途で使用し易い断熱板を提供することである。
【課題を解決するための手段】
【００１０】
この目的は、請求項１に係る、断熱板等の断熱要素によって達成できる。
【００１１】
本発明による断熱要素は、請求項１に提示される事項によって特徴付けられる。さらに、本発明の床システムは、請求項１２に提示される事項によって特徴付けられる。
【００１２】
一実施例によれば、断熱要素は、その第１の面が柱脚を備え、柱脚は、柱脚の上に据え付けられるべき床パネルを支持するのに適した上面を有する。さらに、断熱板は、柱脚間にある実質的に連続した面を備える。さらにまた、一実例によれば、断熱板は、第１の面とは反対側の第２の面にも柱脚を備え、前記第２の面の柱脚は、断熱板の連続面の下縁を断熱要素の設置レベルよりも高い位置に持ち上げるようになっている。この利点のうちの１つは、例えば、面と設置レベルの間に、例えば換気用若しくは除湿用の空間及び／又は追加設置用の空間が残される点である。一実施例によれば、狭い隙間は、換気の観点から幾つかの場合に特に有利となる一方、より広い隙間は、追加設置に関して便利である。
【００１３】
連続面及び柱脚は、少なくとも１つの断熱材料から単一工程で一部品として製作される。柱脚及び実質的に連続した面は、断熱板を横切る実質的に連続した面の上の柱脚の間に、設置ケーブル、さらに可能であれば設置ホース又はチューブも据え付けられうるような相互配置を有する。
【００１４】
高床システム等の床システム等は、上に主張したような複数の断熱板（本質的に基礎（support foundation）として機能する）を含み、断熱板は、互いに連結され、それらの上には、高床を確立するための少なくとも１つのパネル型部品が据え付けられる。
【００１５】
従属請求項は、好ましい基礎及び高床の実施例を対象とする。
【発明の効果】
【００１６】
（本発明の利点）
実質的に連続した面と共同して、断熱板の柱脚は、実質的に閉鎖した面を形成する。実質的に閉鎖した面によって、断熱板は、公開された特許公報ＥＰ０４８８３１２Ａ１、ＪＰ０３−１０７０５８及びＷＯ９９／６４６９４に開示された床基礎に対して、断熱性が向上した構造体となることが判明している。
【００１７】
断熱板の柱脚と、実質的に連続した面及び断熱板に取付け可能な少なくとも１つのパネル型部品によって確立された閉鎖面とは、それらの間に実質的に閉鎖した隙間を形成し、隙間は、一方では隙間内及び隙間自体の断熱性を向上させ、他方ではおそらく必要とされる追加の断熱体のための設置空間として使用されうる。柱脚間に残された空間は、得られた隙間の換気を効果的に提供することもでき、よって、例えばコンクリート床等からくる湿気の除去を実現し、これによって湿気及び成形物の損傷の防止を実現する。地盤から放出されるラドンを換気するためにも換気を使用できる。
【００１８】
柱脚は、例えば、コンサートに関連して造られる施工システム等の一時的な解決手段にも著しい利点をもたらし、この場合、柱脚は、施工されるべき床構造体と例えば芝生の間に十分な空間を提供し、これによって、芝は、柱脚の場所以外では踏み潰されず、よって台無しにされない。さらに、例えばアイス・ホッケー場の氷の上に施工するときに、柱脚は、断熱板を氷面から離して保ち、これによって、断熱板の面が氷に付着して凍結しない（小さな面領域を有する柱脚は、板全体のサイズの面よりも相当容易に氷面から分離される。）。さらに、柱脚によって確立されて板と設置面の間に残される空間は、本明細書のどこかで指摘するように、床と設置面の間にチューブ及び配線等を目立たず安全に据え付けることを可能にする。
【００１９】
本発明による断熱板は、断熱性のみではなく防音性も提供することが判明している。そのサービス位置で、断熱板は、空間利用性を向上させる。これは、様々な実施のために、独立した施設（例えば、アイス・ホッケー競技場、コンサート・ホール、会議場又は宴会ホール）又は領域（例えば競技場）を効率的に使用することを意味する。
【００２０】
本発明の断熱板を使用して実施される、本発明の一態様による高床システムは、特許公開ＥＰ０４８８３１２Ａ１、ＪＰ０３−１０７０５８及びＷＯ９９／６４６９４に開示された解決手段と比べて一層容易に温床として施工できる。この主な理由は、実質的に閉鎖した隙間及び可能であれば利用される追加の断熱体が効果的な断熱を形成するためである。他方では、実質的に連続した面のみならず柱脚も、少なくとも１つの断熱材料から施工されるため、断熱板型の基礎自体も熱伝導度が低いので、高床を使用して、冷床から生じる隙間風の感覚を一層容易に排除できる。追加の断熱層又は表面層を必要とせずに、基本的な現場打ちコンクリート・スラブ又は建築物の要素の上に高床を直接据え付けることができる。高床は、同時に設置用床板を構成する。これは、施工費用の大幅な節約を意味する。
【００２１】
単一部品として製作されることで、断熱板が纏まり、柱脚間の距離の殆ど全てが一定に保たれる。この態様に加えて、単一部品の製作の実施によって、断熱板は、持続する耐熱性に関して良好である。実質的に連続した面及び柱脚が仮に異なる材料から施工される場合、それらの異なる熱膨張挙動に起因する熱密閉性の低下を予防するために温度条件を変化させることが難しくなる。
【００２２】
断熱板の下縁で連続面の下縁に終端するように断熱板の柱脚が適合されるときには、例えば、コンクリート又は他の未製作の床の上等、その設置ベースに形状嵌合の態様で設置できるように基礎を施工でき、したがって、断熱板の下に広範な冷却空間を発生させずに、断熱板の下に冷気が到達するのを一層効果的に制限できる。
【００２３】
断熱板の設置レベルよりも高く連続面の下縁を持ち上げるように柱脚が適合されるときには、断熱板からその設置ベースへの熱伝導又はその逆の熱伝導も減らすことができる。これは、断熱板の屋外サービス・オプション、及び、例えばアイス・アリーナのカバー・パネルとしてのそのサービスを向上させる。
【００２４】
柱脚のうちの少なくとも幾つかが少なくとも１つの装着要素を含む、又は装着要素を形成するときには、結果として、基礎の多用途性が向上する。
【００２５】
一態様によれば、装着要素は、挿入取付具、特にボルト若しくはネジ取付具のための、柱脚の上にある取付孔若しくはネジ切であり、又は取付孔若しくはネジ切を備えてもよく、柱脚の上にある挿入体、特に、取付ボルト若しくはネジであり、又は挿入体を備えてもよい。これによって、断熱板を一層容易に互いに固定する可能性を提供する。これに加えて又は代えて、断熱板を覆うことを目的とする床を断熱板に一層容易に取り付けることができる。
【００２６】
一態様によれば、装着要素は、柱脚の上にある溝若しくは柱脚の上に延びる溝であり、又は溝を備え、溝は、柱脚の少なくとも２つの縁からその内部に延びており、少なくとも１つのチャネルを形成する。これによって、断熱板又は基礎を一層容易に互いに固定できる。
【００２７】
一実例によれば、断熱板は、断熱板又は断熱板から形成されたシステムに、間仕切り、扉、電気及び照明解決手段、ＨＶＡＣ設備及び特徴、並びに他の取付具等、様々な特徴及び装置を嵌めるのを容易にするような装着要素も備えてよい。
【００２８】
一態様によれば、装着要素は、設置ケーブル、ホース若しくはチューブを据え付けるための溝若しくはチャネルであり、又は溝若しくはチャネルを備える。これによって、完全に設置された床で柱脚の位置を見つけるのが非常に一層容易であるので、完全に設置された床で設置ケーブル、ホース若しくはチューブを見つけるのを容易にする。
【００２９】
一態様によれば、装着要素は、横方向に形状制限された少なくとも１つの保持要素、特に蟻継ぎ及び／又は装着要素の嵌合部を備える。よって、これによって、単純な態様で基礎の相互連結を行う可能性を提供する。
【００３０】
一態様によれば、装着要素は、床板の縁部を保持するための、柱脚の少なくとも１つの壁にある少なくとも１つの溝若しくは切込みであり、又は溝若しくは切込みを備える。これによって、可能であれば、高床、壁等のみならず、孔を空けずに可能であれば器具なしで固定されるべき床パネルの殆ど全てを可能にする。これによって、床パネルの損傷を回避でき、これによって、同一の床パネルが様々な状況で一層再使用可能となる。さらに、床パネルに孔を開ける必要がないことで、床パネル内に湿気又は水分が行き着くのを防ぐための改良された能力が提供される。
【００３１】
一態様によれば、装着要素は、基礎の上にセットされるべきパネル型部品の静止摩擦を減少又は増加させるために柱脚自体の面の摩擦係数に対して柱脚の面の摩擦係数を変化させるための少なくとも１つの平板型要素であり、又は平板型要素を含む。静止摩擦を増加させると、一層固定された床を施工する可能性が提供される。摩擦係数を減少させると、より小さな力で横方向にずらすことができる床を施工する可能性が提供される。
【００３２】
断熱板のうちの１つを上下反転させ、これを１つの柱脚の幅に実質的に略等しい距離を越えてずらすことによって、断熱板を他の同様な断熱板に積み重ねることができ、これによって、得られた積重ね体に少なくとも横方向に加えられた押し又は引きに対して柱脚が組み合わさり且つ積重ね体を安定化させるように、断熱板の柱脚が構成されるときには、未使用中又は例えば輸送中に小さな空間に断熱板を収容する性能が提供される。
【００３３】
柱脚間にあり、且つ重なり合った各基礎の連続面の間の領域に、フォーク・リフトのフォークによって積重ね体から断熱板を抜き取れる距離が残るように、断熱板がさらに構成されるときには、相対的に小さな空間に輸送可能な断熱板を使用して、組立て可能な高床を機械的な態様で組み立てられる。よって、一時的なサービスのために、例えば、アイス・ホッケー競技場の床等の大きな空間を覆うことが一層容易となる。
【００３４】
床システム等で、並べて配置された及び／又はコーナ同士に配置された断熱板の取付孔若しくはネジ切のボルト若しくはネジ取付具を使用して、並びに／或いは、１つの取付ボルト又は複数の取付ボルト若しくはネジを使用して、断熱板のうちの少なくとも幾つかが互いに固定されるときには、単純な態様で断熱板を互いに対して相互連結する性能が提供される。
【００３５】
高床システム等の床システム等で、並べて配置された及び／又はコーナ同士に配置された断熱板のチャネルにセットされた保持要素を使用して、設置された床システム等からの保持要素の取外しをパネル型部品が防ぐように、断熱板のうちの少なくとも幾つかが互いに固定されるときには、設置した床等から保持要素を不注意で取り外すことを一層良好に避ける性能が提供される。
【００３６】
床システムでは、横方向に形状制限された少なくとも１つの保持要素を使用して、断熱板のうちの少なくとも幾つかが互いに固定されるときには、取外し可能な保持要素なしに、断熱板の取付けを行う性能が提供される。取外し可能な保持要素の排除は、取外し可能な要素が分解中又は輸送中に紛失しうるので、方々に輸送可能であることが意図されるような床等に特に有利である。さらに、実際に記述する保持要素は、例えば、一時的なサービスを目的とする解決手段で組立て及び分解を相当促進する。
【００３７】
床システムの断熱板のうちの少なくとも幾つかで、装着要素が、少なくとも１つの柱脚の少なくとも１つの壁にある、床パネルの縁部を保持するための溝若しくは切込みであり、又は溝若しくは切込みを備えるとき、並びに、そのような断熱板のうちの少なくとも幾つかが、動かないように固定するためにパネル型部品によって互いに対して固定されるときには、取外し可能な保持要素を有することなく、又はより少ない保持要素を有することによって、床システム等を実施する性能が提供される。
【００３８】
さらにまた、断熱板は、断熱板の縁領域のうちの少なくとも１つに、断熱板を互いに取り付ける工程中に防火線を確立するための特徴を備えてもよく、特徴は、金属、コンクリート若しくは石等の実質的に不燃性の材料、及び／又は燃焼特性に関して断熱板の材料とは異なる防火材料を備える。防火線は、例えば、耐火性の貫入体を備えてもよい。防火線は、断熱板の高さと等しい高さを有することが最も好ましい。
【００３９】
次のセクションでは、添付図面を参照しながら、もう少し詳しく本発明の好ましい例示的な実施例について記述する。
【図面の簡単な説明】
【００４０】
【図１】本発明の好ましい一実施例による、１つの断熱板、及び断熱板の柱脚に含まれるべき挿入体を示す図である。
【図２】本発明の好ましい一実施例による、断熱板の柱脚の可能な一デザイン、及び一層近景での挿入体を示す図である。
【図３】本発明の好ましい一実施例による、断熱板の柱脚に含まれるべき、摩擦を増加又は減少させる一平板を示す図である。
【図４】本発明の好ましい一実施例による、実質的に連続した面の下に隙間が残された断熱板の一実施例を示す図である。
【図５】本発明の好ましい一実施例による、高床の製作のために断熱板を互いに取り付け、パネル型部品を取り付ける一方法を示す図である。
【図６】本発明の好ましい一実施例による、高床の製作のために断熱板を互いに取り付け、パネル型部品を取り付ける一方法を示す図である。
【図７】本発明の好ましい一実施例による、断熱板を互いに取り付ける一方法を示す図である。
【図８】本発明の好ましい一実施例による、断熱板を積み重ねる一方法を示す図である。
【図９】本発明の好ましい一実施例による、断熱板を積み重ねる一方法を示す図である。
【図１０】本発明の好ましい一実施例による、高床の製作のために断熱板を互いに取り付け、パネル型部品を取り付ける一方法を示す図である。
【図１１】本発明の好ましい一実施例による、設置ケーブル、ホース及びチューブを据え付ける一方法を示す図である。
【図１２】本発明の好ましい一実施例による、断熱板を互いに取り付ける一方法を示す図である。
【図１３】本発明の好ましい一実施例による、断熱板を互いに取り付けるための一締付けブロックを示す図である。
【図１４】本発明の好ましい一実施例による、断熱板を互いに取り付けるための一締付けブロックを示す図である。
【図１５】本発明の好ましい一実施例による、並べて配置された断熱板にパネル型部品を取り付ける一方法を示す図である。
【図１６】本発明の好ましい一実施例による、並べて配置された断熱板にパネル型部品を取り付ける一方法を示す図である。
【図１７】本発明の好ましい一実施例による、補強要素によって支持要素の取付けを補強する一方法を示す図である。
【図１８】本発明の好ましい一実施例による区画化された一断熱板を示す図である。
【図１９Ａ】本発明の好ましい一実施例による少数の柱脚要素を示す図である。
【図１９Ｂ】本発明の好ましい一実施例による少数の柱脚要素を示す図である。
【図１９Ｃ】本発明の好ましい一実施例による少数の柱脚要素を示す図である。
【図１９Ｄ】本発明の好ましい一実施例による少数の柱脚要素を示す図である。
【図１９Ｅ】本発明の好ましい一実施例による少数の柱脚要素を示す図である。
【図１９Ｆ】本発明の好ましい一実施例による少数の柱脚要素を示す図である。
【図２０Ａ】本発明の好ましい一実施例による少数の換気機構を示す図である。
【図２０Ｂ】本発明の好ましい一実施例による少数の換気機構を示す図である。
【図２０Ｃ】本発明の好ましい一実施例による少数の換気機構を示す図である。
【図２０Ｄ】本発明の好ましい一実施例による少数の換気機構を示す図である。
【図２１Ａ】本発明の好ましい一実施例による溝形解決手段を示す図である。
【図２１Ｂ】本発明の好ましい一実施例による溝形解決手段を示す図である。
【図２１Ｃ】本発明の好ましい一実施例による溝形解決手段を示す図である。
【図２１Ｄ】本発明の好ましい一実施例による溝形解決手段を示す図である。
【図２１Ｅ】本発明の好ましい一実施例による溝形解決手段を示す図である。
【発明を実施するための形態】
【００４１】
図１は、本発明の一断熱板を示しており、より具体的には、断熱板型の基礎１００、及び基礎の柱脚１０３に組み込まれるべき挿入体１０２を示している。柱脚１０３の上面は、その上に据えられるべき床パネルを支えるのに適している。幾つかの実例に関連して基礎について続けて言及するが、基礎は、断熱板の使用目的の１つにすぎず、いかなる意味においても本発明の断熱板を基礎に限定するものではない。
【００４２】
幅がａであり、厚さがｂである柱脚の間には、実質的に連続した面１０１が残される。連続面１０１及び柱脚１０３は、少なくとも１つの断熱材料から単一工程で一部品として製作される。
【００４３】
柱脚及び実質的に連続した面は、断熱板を横切る連続面１０１の少なくとも実質的に上の柱脚１０３の間の空間を通って連続面１０１の上に、設置ケーブル、さらに可能であれば設置ホース又はチューブも引き込まれうるような相互配置を有する。
【００４４】
断熱板１００の場合に柱脚１０３は、その下縁で連続面１０１の下縁に終端するようになっている。
【００４５】
利用される断熱材料は、発泡ポリプロピレンＥＰＰ、発泡ポリスチレンＥＰＳ、ウレタン又は他の閉鎖型若しくは開放型の細胞化プラスチック（cellularizedplastic）材料である。断熱材料を、最近の鉱物由来材料又は他の天然繊維材料とすることもできる。
【００４６】
柱脚１０３及び実質的に連続した面１０１は、互いに一体化される。それらを同一材料から同一工程で作ることが最も好ましい。よって、柱脚１０３の上側面及び下側面も同一材料であり同一工程で生成される。これによって、製作工程を簡略化でき、上側と下側での別々の塗装工程から生じる機械的及び熱力学的な問題を回避できる。本明細書で記述される、断熱板に一体化される、設置要素及び／又は締付け要素等の他の要素も、本発明の好ましい実施例に従って同一工程で製造される。
【００４７】
断熱板１００を鋳造によって作ることが最も好ましい。妥当な製作方法は、焼結、回転鋳造、射出成形及び真空成形を含むことが好ましい。
【００４８】
製作工程では、断熱板１００は、おそらく締付け要素に必要とされる、断熱板に一体化された嵌合凹部及び開口も有する。
【００４９】
図２は、基礎２００が柱脚１０３に加えて柱脚２０３も備えるという点で図１の基礎１００とは異なる、随意選択的な基礎２００を示している。
【００５０】
柱脚２０３は、その垂直面に溝又は切込み２１０を有する。これに加えて、柱脚２０３は、その上面に溝２１１、２１２を備える。
【００５１】
柱脚１０３、２０３の幾つかには、取付ピン用の孔２８０を備える。
【００５２】
柱脚１０３、２０３の全て又は幾つかには、挿入体１０２用の孔１０５を備える。
【００５３】
挿入体１０２は、ステム１０７、シール・ディスク２９１、２９２、２９３及びヘッド１０４を備える。ヘッド１０４は、締結ネジ又はボルトが通過できる開口を有しており、締結ネジ又はボルトは、結果として、例えば、スクリュー・ドライバ又はＡｌｌｅｎキー係合のための、例えば、チャックを有するナット・ランナに係合される。
【００５４】
実質的に連続した面１０１は、等厚の断熱面であることが最も好ましい。追加の断熱性を提供するために、連続面１０１は、ベースに定着して構造体の断熱性能を高める、突起又は柱脚をその下側面に備えてもよい。
【００５５】
基礎１００、２００間の継目をシールできる溝形又は他の縁特徴を含むように、実質的に連続した面１０１を構成できる。例えば図９、１０、２１に関連して、溝形特徴の少数の実例について記述する。実質的に連続した面１０１に柱脚部材を一体化することもでき、面と柱脚部材の両方は、断熱板１００、２００の上に据えられるべき荷重を支え、必要とされる加熱用、配管用、換気用、電気用及び他の技術的なラインを引き込んで据え付けるのに適した断熱用の隙間又は容積を断熱板自体の下に確立する。
【００５６】
実質的に連続した面１０１の下の高さを、例えば芝生用に、０〜８０ｍｍとすることができる。結霜付着を防ぐために、特に好ましい場合に３ｍｍである、下面高さｍ（図４参照）がある。柱脚１０３、２０３に関して、３〜１８０ｍｍである高さｈ（図１参照）又はｎ（図４参照）がある。
【００５７】
利用される鋳造金型には、調節可能な柱脚要素を設けることが好ましく、これによって、同一の１つの金型によって高さｈ及びｎを２５、５０又は８０ｍｍのサイズのいずれかとして選択して作ることができる。
【００５８】
特に、例えば天然芝用の成長空間を残す必要があるときには、上面及び下面の高さｎ及びｍを実質的に略等しい高さとすることが最も好ましい。
【００５９】
本発明の断熱板、基礎及び／又は高床システムを様々な材料用の保護パネルとして使用できる。
【００６０】
例えば、普通の床（すなわち氷ではない）が必要とされる運動又はコンサートのイベントを催すためにホッケー競技場を使用しようとするような状況では、それらを、例えばホッケー競技場の氷を保護するために使用できる。そのような場合には、高床システムを施工し解体するのに数時間しかかからない一方で、氷を作り直すには数日かかるので、氷を融かすのは望ましくない。
【００６１】
断熱板、基礎及び／又は高床システムを使用するための他の可能な応用は、岩粉床張りホールの面の保護、運動用の木製床張り、並びに人工及び天然の芝の保護を提供することである。天然芝の保護に関しては、芝地に据えられる柱脚は、芝用の空間を残すためにより高くなければならない。
【００６２】
断熱板１００、２００のサイズは、製作エンジニアリングに関して何が可能であるか、例えば床システム等に使用されるパネル型部品（例えば、表面パネル又は表面構造体）の最適なサイズがどの程度であるか、及び組立エンジニアリングに関して何が目的に最も適うかに依る。
【００６３】
概して現在のところ、断熱板１００、２００のサイズは、４００×４００ｍｍ〜１２００×１２００／２４００ｍｍの範囲内で変化してもよく、６００×６００ｍｍが最も好ましい。
【００６４】
図３は、断熱板３００の形式の代替実施例を示している。断熱板３００の柱脚３０３には、平板３０５が据えられており、その材料は、柱脚３０３の材料とは異なる摩擦係数を有する。よって、平板３０５は、柱脚３０３の位置で、断熱板３００の上に据えられるべき少なくとも１つのパネル型部品と断熱板３００との間の摩擦係数が、平板３０５を使用しない場合よりも高いか低いかという点で違いを生じさせる。
【００６５】
平板３０５を柱脚３０３に嵌めて平板３０５を一層堅く固定して保つために、柱脚３０３は、平板３０５を嵌めるための凹部３０４を含む。
【００６６】
図３の断熱板３００には、柱脚３０３のみを備える。断熱板の前述した又は後述する任意の実施例は、それでも１つ又は複数の柱脚３０３を含んでもよい。
【００６７】
図４は、実質的に連続した面１０１の下に隙間４４４が残される断熱板４００の形式の代替実施例を示している。この実施例では、柱脚１０３は、連続面１０１の下縁であるものの下に延びる。
【００６８】
例えば、設置チューブ４２、ケーブル４１若しくはホース４３を設置するために又は芝生用の成長空間として、隙間４４４を利用できる。
【００６９】
断熱板４００のコーナ位置の柱脚４１１、４１２、４１３、４１４は、少なくとも２つの縁部から各柱脚の端部の内側に延びる溝２１１、２１２を備える、柱脚の上端及び下端の両方を設置要素として有する。溝２１１、２１２は、柱脚の各端部にチャネルを集合的に形成する。
【００７０】
図４の断熱板４００は、そのような切込み付きの柱脚４１１、４１２、４１３、４１４をコーナのみに有する。様々な断熱板の前述した又は後述する任意の実施例は、それでもそのような柱脚４１１、４１２、４１３、４１４を１つ又は複数含んでもよい。これらは、特に、例えば図６に表示するように、断熱板が中央の柱脚２０３、及びコーナの柱脚４１１、４１２、４１３、４１４を有するように、柱脚２０３との組合せで存在してもよい。
【００７１】
図５は、例えば図１に提示するように断熱板又は基礎１００を互いに取り付けて施工される高床システム５００を示しており、断熱板のコーナの柱脚１０３は、柱脚４１１、４１２、４１３、４１４と置き換えられる。よって、修正された断熱板１００は、まず互いに取り付けられる。最後に、少なくとも１つのパネル型部品５３０は、高床システムを作るために、接合された断熱板に孔５３１を通じて固定される。
【００７２】
断熱板は、例えば、上側の成形品１４００（図１４参照）及び下側の成形品１３００（図１３参照）を使用して、上側と下側の両方で互いに接合されることが好ましい。成形品１３００は、孔５１８を備える取付ラグ５１１、及び取付ラグ５１１間に存在する補強アーム５１２を備える。
【００７３】
少なくとも１つのパネル型部品５３０（例えば表面パネル又は表面構造体）を、例えばネジ５１０を推進して、成形品１４００の取付ラグ５１１と位置合せして取り付けることができる。同時に、成形品１３００及び１４００は、ネジ５１０が通過する、断熱板の柱脚４１１、４１２、４１３、４１４によって、互いに締め付け合ってそれらの断熱板に締め付けられる。したがって、利用される断熱板は、成形品１３００、１４００によって形状限定の態様で互いに固着される。
【００７４】
図１３から明らかなように、下部の成形品１３００にはネジ孔５１８が設けられれば十分であろう。設置を容易にして促進するために、上部の成形品１４００の孔５１６をより大きな非ネジ孔にすることができる。
【００７５】
図６は、断熱板を互いに取り付けるための、図５に示すもの以外の機構を有する高床６００の実施方法を示している。
【００７６】
図５に示す修正された基礎１００とは反対に、実際に利用される基礎は、中央に位置する柱脚１０３が、必ずしも溝又は切込み２１０が設けられなくてもよいが、柱脚２０３で置き換えられる点で、図５に示す基礎と異なる。
【００７７】
設置に使用される成形品６３２は、４つの孔６３３を有する枠を備える。枠は、柱脚４１１、４１２、４１３、４１４の各チャネルにセットされ、その後に少なくとも１つのパネル型部品５３０（例えば表面パネル又は表面構造体）は、基礎を成形品６３２に締め付け、これによって互いに締め付け、同時に、少なくとも１つ、しかし好ましくは１つよりも多いパネル型部品５３０に締め付けるための、各孔６３３を通る締結ネジ５１０によって固定される。
【００７８】
成形品６３２に加えて又は代えて、溝２１１、２１２にそれぞれ嵌められ、柱脚２０３の挿入体１０２にネジ５１０で固定される設置棒６１１、６１２を使用して、高床システムの組立を行うことができる。パネル型部品５３０の上から締結を行う場合、パネル型部品５３０を装着棒６１１、６１２に上手く取り付けられ、この断熱板の隣の断熱板にも装着棒６１１、６１２をそれぞれ固定するならば、同時に装着棒同士も上手く取り付けられる。
【００７９】
さらに前述した機構又はそれらの組合せのいずれかを使用して断熱板を互いに接合するような方法でも、高床システム６００を施工できる。図７は、断熱板が柱脚１０３を備え、断熱板のコーナの柱脚４１１、４１２、４１３、４１４を備え、成形品１３００、１４００及びネジ５１０の助けによって断熱板が互いに接合される場合を示している。
【００８０】
断熱板では、柱脚１０３、４１１、４１２、４１３、４１４の間に補強棒５０１を利用できる。
【００８１】
図８は、断熱板８００の積重ね工程を示している。断熱板８００は、例えば図７に示す断熱板と同様である。断熱板８００の積重ねは、柱脚を正しく寸法決めし離間させる単純な工程である。柱脚１０３、４１１、４１２、４１３、４１４は、断熱板８００のうちの１つを上下反転させ、これを１つの柱脚１０３、４１１、４１２、４１３、４１４の幅ａ又はｂ（図１参照）に本質的に略等しい距離ずらすことによって、他の対応する断熱板８００に断熱板８００を積み重ねられ、これによって、柱脚１０３、４１１、４１２、４１３、４１４は、互いに組み合わさり、得られた積重ね体の横方向の少なくとも押し又は引きに対して積重ね体を支持するような構成にある。柱脚１０３、４１１、４１２、４１３、４１４に代えて又は加えて、断熱板８００は、前述した又は後述する柱脚と同様の任意の柱脚を含んでもよい。
【００８２】
断熱板８００は、柱脚１０３の間（又は他の柱脚間）の領域内に、重ねた各断熱板８００の連続面１０１の間に距離ｅが残るように構成され、前記距離は、フォーク・リフトのフォークによって積重ね体から断熱板を抜き取れる距離ｅを考慮して寸法決めされることが最も好ましい。距離ｄが０を越える場合、可能性のある湿気を距離ｄによって蒸発除去できるので、冬季気象条件での保管中及び輸送中における基礎８００同士の凍結を妨げることができる。
【００８３】
図９は、図８に示す積重ねの実施例と同様の積重ねの実施例を示している。しかし、この場合に断熱板９００は、より小さな２つのブロック１０００を組み立てて作られる（図１０参照）。原理的に、断熱板９００を２つ以上のブロック１０００とすることもでき、例えば、図１２に示す断熱板１２００が役に立つ。
【００８４】
図１０によれば、断熱板９００は、より小さな２つのブロック１０００を互いに接合して作られる。組み立てられた断熱板９００は、取扱いを一層促進する。雄取付手段１００２を含む柱脚９０１、及び雌取付手段１００１を含む柱脚９０２を使用して、取付けを行うことが好ましい。例えば、蟻継ぎは、非常に機能的な取付方法である。
【００８５】
これに加えて又は代えて、柱脚４１１、４１２、４１３、４１４、及び、例えば、１つの成形品６３２、又はブロック１０００で接続機構に締結される２つの成形品１３００、１４００を使用することもできる。
【００８６】
前述したように、少なくとも１つのパネル型部品５３０は、本発明の基礎を提供するために、成形品６３２（又は１３００及び１４００）で接続機構に締結され、同時に断熱板９００に締結される。
【００８７】
断熱板９００は、水平雄突条１０５０及び水平雌溝１０５１を示す視認可能な目印を有する。基礎９００の側部にある雄突条１０５０及び／又は雌溝１０５１によって、これらは、断熱板９００の間に重合部がなく垂直継目のみがある場合に関して防音及び／又は断熱の性能を向上するために、互いに対して重なり合うことができる。図２１Ａ〜図２１Ｅは、とりわけ、断熱板の垂直方向の熱伝導を減らし、よって直接的なヒート・ブリッジ等を排除する、様々な溝形解決手段をさらに図示している。
【００８８】
一実例によれば、例えば２つの側部に水平雄突条１０５０があり、他の２つの側部に水平雌溝１０５１がある。代わりに、図２１Ａ〜図２１Ｅに特に提示するように、１つおきの断熱板９００を雄突条１０５０のみで実施でき、１つおきの断熱板を雌溝１０５１で実施でき、又は幾つかの混成溝形／側部関係で実施できる。
【００８９】
水平の雄突条１０５０及び雌溝１０５１に加えて又は代えて、重ね合わせを行い、これによって直接的なヒート・ブリッジの形成を排除するために、実施可能な他の構成を利用できる。
【００９０】
実際に記述する重合せコンセプトは、断熱板又は基礎の前述した又は後述する任意の実施例に関連して使用できる。
【００９１】
図１１は、断熱板１１００によって確立された構造体の中央での設置ケーブル、チューブ、及びホースの据付けを示している。
【００９２】
断熱板１１００は、その柱脚１１０３が、例えば柱脚１１０３の上端にある溝を備え、溝は、この場合、例えば、設置チューブ４２又はホース４１を据え付けるため等の設置を実施するために使用できる。溝１１０８は、チャネルを形成する。
【００９３】
柱脚１１０３は、チャネルにある設置チューブ４２又はホース４３又はケーブル４１を保護するための保護部品１１０４、１１０５、１１０６及び１１０７で上面を覆われる。
【００９４】
適した締付けブロックによって断熱板１１００を互いに取り付けるために、柱脚１１０３を使用できる。
【００９５】
図１２は、２つの側部に接合特徴を有する柱脚１２０１をそのコーナが備える点で図１０に示すブロック１０００とは異なる、基礎１２００を示している。これに加えて、断熱板１２００は、それぞれの側部に柱脚９０１、９０２を有する。
【００９６】
図１５は、並べて配置された断熱板に対するパネル型部品１５３０の取付けを図示している。パネル型部品１５３０は、その縁部１５３１が溝又は切込み１５０３に嵌るように曲げられている。これは、例えば高床１５００を施工する方法であるが、同様の類推は、例えば壁、隔壁、天井又は同様なシステム等の他の構造体にも当てはまる。
【００９７】
図１６は、部品１５３０が、溝又は切込み２１０に嵌るようにその縁部１５３１が曲げられている、取付けの実施例を示している。
【００９８】
図１７は、棒等の補強特徴による断熱板の取付けを視覚化している。棒１７１０、１７０１を断熱板の補強のために使用できる。断熱板にある挿入体又は孔１０５のみに単に棒１７１０、１７０１を締結することによって、棒をネジ５１０で固定することが最も好ましい。孔１０５は、この場合に、断熱板の平面から立ち上がるのではなく、棒１７０１、１７１０用の溝２１１、２１２に位置することが好ましい。
【００９９】
一実例によれば、断熱板は、間仕切り、扉、電気及び照明の解決手段、ＨＶＡＣの装置及び特徴並びに他の付属品等の様々な特徴及び設備を、断熱板又はこれによって形成されたシステムに嵌め込むのを容易にする装着要素として機能するような補強特徴１７１０、１７０１も備えてよい。装着要素を、例えば、成形構造体、鋳造物又は異形材（profile）とすることができ、断熱板の成形構造体及び／又は断熱板に装着要素を当接でき、或いは、断熱板にある挿入体又は孔に装着要素を固定できる。代わりに、断熱板の下にある材料に断熱板を通じて装着要素を固定もできる。装着要素を断熱板に補強することによって、断熱板が熱及び音の伝搬を効果的に遮るので、熱及び音響エンジニアリングの観点における利点を達成できる。
【０１００】
一実例によれば、例えば、配線及びチューブ（電気、ＨＶＡＣ）、並びに／或いは制御及び調節エンジニアリングのために必要とされる他の配線システムを接続又は延長するためにも、装着要素を使用できる。さらに、前述した特徴及び／又は設備等の、装着要素に関連する構造体を、例えばまっすぐな直立姿勢等の特定の角度に矯正又は調節するためにも、装着要素を使用できる。断熱板のカバー・パネル、複数のそのような板で形成された床又は壁システム等のシステムに接触しないように、様々な加熱、安全、電気、調節及び照明の特徴を設置可能にするためにも、装着要素を使用でき、これによって、容易に開放及び交換できる性能をカバー・パネルに提供する。装着要素を接地もでき、これによって、装着要素に関連する器具は、装着要素を通じて容易且つ確実に接地される。
【０１０１】
得られた組み合わされた断熱板及び／又は基礎を一層都合良く取扱えるように、前述した様々な実施例による断熱板及び／又は基礎を分離可能な態様で互いに接続できる。例えば、１２００×１２００ｍｍのサイズの単一の断熱板を得るために、６００×６００ｍｍの４枚の断熱板（又はブロック）を互いに接続できる。
【０１０２】
図面にも見られる氷被覆パネルの一応用は、蟻継ぎ及び固着ピンで取外し可能に互いに接続される６００×１２００ｍｍのブロック２枚から作られる。これによって、１２００×１２００ｍｍのサイズの基礎が得られる。
【０１０３】
実際に議論されるピン固着又は１つ若しくは２つの成形品による固着以外の締付け特徴を使用しても、断熱板同士の取付けを行うことができる。様々なラッチ、棒又は楔を使用して、取付けを行うことができる。補強要素を補強要素のベースに直接固定することもできる。
【０１０４】
断熱板を互いに固定してベースに一層堅く固定するために、それらの間に様々な固着要素及び締付けシステムの利用を適用できる。
【０１０５】
断熱板の形状は、殆ど何でもよい。柱脚の形状を、例えば、四角形、円形又は楕円形とすることができる。基礎当りの柱脚の数は、４〜４００個である。発明者が最初に施工した断熱板は、６００×６００ｍｍサイズの断熱板に１６個の柱脚を有する。
【０１０６】
断熱板に一体化される様々な蟻溝又は同様の構造体を使用して、断熱板を互いに接続できる。よって、別個の接続要素なしに、断熱板同士の取付けを行うことができる。
【０１０７】
内部及び外部の壁並びに天井及び屋根の施工にも、断熱板を利用できる。
【０１０８】
図１８は、高床システムの施工に使用される断熱板１８００を示している。図１８の例示的な実施例では、柱脚２０３の形式で柱脚を示しているが、実質的に連続した面１０１と共同で前述した任意の柱脚（又はそれらの組合せ）を使用して柱脚を実施できる。
【０１０９】
断熱板１８００は、断熱板の区画化を可能にする、柱脚間の間仕切り１８０１、１８０２を有する。幾つかの間仕切り１８０１、１８０２又はそれらの部品は、区画化の態様で、電気、データ又は最も一般的に、例えばＨＶＡＣの配線手順を行うために除去又は追加される。よって、可能性がある（例えば水）リークの場合には、こぼれは、その区画自体に制御可能に閉じ込められ、又は他の（例えば電気）区画に達しない。
【０１１０】
間仕切り１８０１、１８０２を除去又は追加して、少なくとも１つのシュート又はチャネル１８０４を断熱板１８００に形成でき、また、パネル型部品５３０、１５３０と共同で少なくとも１つの閉鎖区画１８０３を断熱板１８００に形成できる。よって、基礎１８００は、区画化された、シュートが付いた、及び／又はチャネルが付いた構成で、前述した高床システムのいずれかを施工するのに役立つ。
【０１１１】
図１９Ａ〜図１９Ｆは、本発明の好ましい一実施例による少数の柱脚要素を図示しており、この場合、柱脚要素は、例えば、本明細書で議論した断熱板の装着要素、締付け要素又は他の部品の部分とすることができる。柱脚要素は、例えば、ネジ付き脚部１９０１、又は互いに接続可能でさえある他のネジ付き要素１９０２を備えてもよく、これによって、ネジを用いて、ネジ付き要素を回転させて、本発明の断熱媒体、及び可能であれば断熱媒体と関連付けられるべき床等の面を特定の角度にセットできる。図１９Ａの柱脚要素が、例えば、要素１９０１、１９０２によって柱脚要素の角度さえ調節できる複数のネジ付き要素１９０１、１９０２を備えてもよいことに留意されたい。他方では、図１９Ｂの柱脚要素をネジ付き要素、又は要素１９０１、１９０２が共同で柱脚要素と一点で接続するだけのような構成とすることもでき、これによって、個別の図１９Ｂの柱脚要素を、その角度を調節できないが、上下方向にのみ調節できる。
【０１１２】
平板状要素１９０３によっても図１９Ｃの柱脚要素を実施でき、これによって、図１９Ｃの柱脚要素の平板１９０３の追加若しくは除去、又は平板間の調節柱１９０４の追加若しくは除去によって、断熱板の高さ調節が行われる。
【０１１３】
図２０Ａ〜図２０Ｅは、本発明の好ましい一実施例による少数の換気装置２０００を図示しており、この場合、断熱板又はブロックのうちの少なくとも幾つかは、断熱板の少なくとも一側部に配置された柱脚間に残された空間を換気するための要素２００１、２００２、２００３、２００４を備える。
【０１１４】
換気要素を、例えば、断熱板のカバー解決手段２００３に含まれ、柱脚間に残されたチャネル・システム内に空気を循環させるようになっていることが最も好ましい、送風機又は排気機のいずれかのファン２００１とすることができる。例えば床システム等の、断熱板から成るシステムは、好ましくは、少なくとも１つの第２の断熱板に空気補給要素２００１を備えてもよく、補給空気が空気補給要素から排出され（換気要素２００１が排気機である場合）、又は循環されるべき空気が空気補給要素を通してチャネル・システムから除去される（換気要素２００１が送風機である場合）。
【０１１５】
一実例によれば、例えば空間の効率性及び機能性の観点から一層有益である場合に、カバー解決手段ではなく断熱板の端部２００４（図２０Ｂ）に換気要素２００２を装着できる。
【０１１６】
幾つかの実例によれば、換気要素によって生じた空気流を柱脚間の空間に確立されたチャネル・システムに沿って効果的に案内できるような方法で、断熱板用の柱脚を設計できることに留意されたい。これらに代えて又は加えて、例えば早ければ断熱板の製作工程中に、換気要素によって生じた空気流を望ましい態様で案内するための導流要素と共に断熱板を形成できる。
【０１１７】
一実例によれば、換気要素は、単なる孔、格子２００３、２００４、バルブ等又はこれらの組合せと、例えば、湿気及び／又はラドン等の除去のために設けられるべき十分且つ適当な換気を可能にする機械仕掛けの解決手段（送風／排気）とであってもよい。
【０１１８】
図２１Ａ〜図２１Ｅは、本明細書にて前述した、本発明の好ましい一実施例による幾つかの溝形解決手段２１００を図示している。溝形解決手段の目的は、個別の断熱板を一緒に組み立てるときに一層正確に互いに位置決めすることと、同時に、直接的なヒート・ブリッジの形成を排除して、特に断熱板に垂直な方向の断熱性を向上することとの両方である。溝形解決手段は、例えば、断熱板の交互の側部に配置できる、又は雄突条を有する隣り合う２つの縁部、及び雌溝を有する別の２つの縁部を設けて配置できる、雄突条及び雌溝から成ることが最も好ましい。図２１Ｄ及び図２１Ｅは、断熱板のための様々な溝形解決手段を上方から見て示している。
【０１１９】
本発明を添付の請求項のみに限定されるものとして解釈すべきではなく、それらの法律上の全ての均等物を包含するものとしてみなされなければならない。前述した説明は、本発明の解決手段の少数の実施例を開示するにすぎない。例えば、実施詳細及び使用分野に関して、請求項で規定された保護の範囲内で本発明の原理を当然に変更できる。特に、断熱ブロックの一応用が基礎であり、この場合に、例えば、床システム及び特に高床システムを提供するためのパネル型部品が断熱板の上に据えられることは、注目に値する。しかし、例えば、大規模な施工組立体の恒久的な部分又は一時的な解決手段のいずれかとしての壁、隔壁及び天井のシステム等の他の目的にも、実際に記述した断熱ブロックを使用できることに留意されたい。本発明の一実施例によれば、例えば、施工されるべき空間から予め得られた寸法によって決定されるような様々な形状及びサイズにも、実際に記述した断熱板を製作でき、これによって、本発明の断熱要素による様々な床、壁等のシステムの施工が特に簡便であり、且つ苦労を必要としないことにさらに留意されたい。一実例によれば、断熱要素の幾つかは、早ければ製作工程中に、前述したような、例えば、電気ライン若しくは他の配線システム又は補強特徴のための、断熱要素に一体化された適当な装着要素及び貫通部を有することができる。
【符号の説明】
【０１２０】
４１  設置ケーブル
４２  設置チューブ
４３  設置ホース
１００  基礎
１０１  実質的に連続した面
１０２  挿入体
１０３  柱脚
１０４  ヘッド
１０５  孔
１０７  ステム
２００  基礎
２０３  柱脚
２１０  溝又は切込み
２１１  溝
２１２  溝
２８０  孔
２９１  シール・ディスク
２９２  シール・ディスク
２９３  シール・ディスク
２９４  シール・ディスク
３００  基礎
３０３  柱脚
３０４  凹部
３０５  平板
４００  基礎
４１１  柱脚
４１２  柱脚
４１３  柱脚
４１４  柱脚
４４４  隙間
５００  高床システム
５１０  縁部
５１２  補強アーム
５１６  孔
５１８  ネジ孔
５３０  パネル型部品
５３１  孔
６００  高床
６１１  装着棒
６１２  装着棒
６３２  成形品
６３３  孔
９００  基礎
９０１  柱脚
９０２  柱脚
１０００  ブロック
１００１  雌取付要素
１００２  雄取付要素
１０５０  水平雄突条
１０５１  水平雌溝
１１００  基礎
１１０３  柱脚
１１０８  溝
１１０４  保護部
１１０５  保護部
１１０６  保護部
１１０７  保護部
１２００  基礎
１２０１  柱脚
１３００  成形品
１４００  成形品
１５３０  パネル型品
１５３１  曲げられた縁部
１５０３  溝又は切込み
１５００  柱脚
１７０１  棒
１７１０  棒
１８００  基礎
１８０１、１８０２  間仕切り
１８０３  閉鎖区画
１８０４  チャネル
１９００Ａ〜１９００Ｃ  柱脚要素
１９０１、１９０２  ネジ付き要素
１９０３  平板状要素
１９０４  調節ピン
２０００  換気装置
２００１〜２００４  換気要素
２１００  溝形解決手段
【手続補正書】
【提出日】平成26年12月24日(2014.12.24)
【手続補正１】
【補正対象書類名】手続補正書
【補正対象項目名】手続補正３
【補正方法】削除
【補正の内容】
【国際調査報告】
2015513883.tif 000037
2015513883.tif 000038
2015513883.tif 000039
2015513883.tif 000040
2015513883.tif 000041
2015513883.tif 000042
2015513883.tif 000043
2015513883.tif 000044